(57)【特許請求の範囲】
【請求項１】
ワイヤレス通信のための装置であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２のＭＣＳセットを示す第２のフィールドとを有するフレームを生成するように構成された処理システムと、
ここにおいて、前記第２のフィールドの異なる値は、前記装置が前記第２の帯域幅のためにサポートすることが可能である異なるＭＣＳセットを示し、
前記第１のフィールドは、前記装置が前記第１の帯域幅のために前記第１のＭＣＳセットを用いた受信をサポートすることが可能であることをさらに示し、前記第２のフィールドは、前記装置が前記第２の帯域幅のために前記第２のＭＣＳセットを用いた受信をサポートすることが可能であることをさらに示し、
前記フレームは、前記装置が前記第１の帯域幅上での送信のためにサポートすることが可能である第３のＭＣＳセットを示す第３のフィールドと、前記装置が前記第２の帯域幅上での送信のためにサポートすることが可能である第４のＭＣＳセットを示す第４のフィールドとをさらに備え、
ここにおいて、前記装置は前記第１のＭＣＳセットをサポートする第１の能力と、前記第２のＭＣＳセットをサポートする第２の能力とをアドバタイジングし、
前記第１の能力をアドバタイジングするために使用されるサブフィールドのためのサブフィールド符号化は前記第２の能力をアドバタイジングするために使用されるサブフィールドのためにも使用される、
送信のために前記フレームを出力するように構成されたインターフェースとを備える、装置。
【請求項２】
前記第１の帯域幅が２ＭＨｚ以上の帯域幅を備え、前記第２の帯域幅が１ＭＨｚ以下の帯域幅を備える、請求項１に記載の装置。
【請求項３】
前記第２のフィールドの前記異なる値は、前記装置が前記第２のＭＣＳセットを使用して前記第２の帯域幅においてサポートすることが可能である異なる数の空間ストリームを示す、請求項１に記載の装置。
【請求項４】
前記第２のフィールドの前記異なる値のうちの少なくとも１つが、前記第１のフィールドによって示されるのと同じ、空間ストリームの数およびＭＣＳセットを示す、請求項１に記載の装置。
【請求項５】
前記第２のフィールドの前記異なる値のうちの少なくとも１つは、前記装置が単一空間ストリームのために前記第２の帯域幅において前記第２のＭＣＳセットをサポートすることが可能であることを示す、請求項１に記載の装置。
【請求項６】
ワイヤレス通信のための装置であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２のＭＣＳセットを示す第２のフィールドとを有するフレームを生成するように構成された処理システムと、
ここにおいて、前記第２のフィールドの異なる値は、前記装置が前記第２の帯域幅のためにサポートすることが可能である異なるＭＣＳセットを示し、
前記第２のフィールドの前記異なる値によって示される前記異なるＭＣＳセットは、前記装置が前記第１のフィールドの異なる値を介して示すことができる異なるＭＣＳセットに対応し、
ここにおいて、前記装置は前記第１のＭＣＳセットをサポートする第１の能力と、前記第２のＭＣＳセットをサポートする第２の能力とをアドバタイジングし、
前記第１の能力をアドバタイジングするために使用されるサブフィールドのためのサブフィールド符号化は前記第２の能力をアドバタイジングするために使用されるサブフィールドのためにも使用される、
送信のために前記フレームを出力するように構成されたインターフェースとを備える、装置。
【請求項７】
前記第１のＭＣＳセットは、前記装置が前記第１の帯域幅を含む複数の帯域幅のためにサポートすることが可能であるＭＣＳセットを備える、請求項１に記載の装置。
【請求項８】
前記第１のＭＣＳセットが、異なる数の空間ストリームに関連するＭＣＳを備える、請求項１に記載の装置。
【請求項９】
ワイヤレス通信のための装置であって、
第１のフィールドと第２のフィールドとを有するフレームをワイヤレスノードから受信するためのインターフェースと、
前記第１のフィールドの値から、前記ワイヤレスノードが第１の帯域幅のためにサポートする第１の変調およびコーディング方式（ＭＣＳ）セットを決定することと、
前記第２のフィールドの値から、前記ワイヤレスノードが第２の帯域幅のためにサポートする第２のＭＣＳセットを決定することと、
前記第１のフィールドの前記値から、前記ワイヤレスノードが前記第１の帯域幅を使用して前記第１のＭＣＳセットを用いた受信をサポートすることが可能であると決定することと、
前記第２のフィールドの前記値から、前記ワイヤレスノードが前記第２の帯域幅を使用して前記第２のＭＣＳセットを用いた受信をサポートすることが可能であると決定することと、
第３のフィールドの値から、前記ワイヤレスノードが前記第１の帯域幅を使用して送信のために第３のＭＣＳセットをサポートすることが可能であると決定することと、
第４のフィールドの値から、前記ワイヤレスノードが前記第２の帯域幅を使用して送信のために第４のＭＣＳセットをサポートすることが可能であると決定することと、ここにおいて、前記第４のフィールドの異なる値は、前記装置が前記第２の帯域幅のためにサポートすることが可能である異なるＭＣＳセットを示し、
前記第１の帯域幅と前記第１または第３のＭＣＳセット中のＭＣＳ、または
前記第２の帯域幅と前記第２または第４のＭＣＳセット中のＭＣＳ
のうちの少なくとも１つを使用して、前記ワイヤレスノードと通信するように前記装置を構成することとを行うように構成され、
ここにおいて、前記装置は前記第１のＭＣＳセットをサポートする第１の能力と、前記第２のＭＣＳセットをサポートする第２の能力とをアドバタイジングし、
前記第１の能力をアドバタイジングするために使用されるサブフィールドのためのサブフィールド符号化は前記第２の能力をアドバタイジングするために使用されるサブフィールドのためにも使用される、
処理システムとを備える、装置。
【請求項１０】
前記第１の帯域幅が２ＭＨｚ以上の帯域幅を備え、前記第２の帯域幅が１ＭＨｚ以下の帯域幅を備える、請求項９に記載の装置。
【請求項１１】
前記処理システムは、
前記第２のフィールドの前記値から、前記ワイヤレスノードが前記第２のＭＣＳセットを使用して前記第２の帯域幅のためにサポートすることが可能である空間ストリームの数を決定することと、
前記第２の帯域幅と、前記第２のＭＣＳセット中のＭＣＳと、前記決定された数の空間ストリームとを使用して、前記ワイヤレスノードと通信するように前記装置を構成することとを行うように構成された、請求項９に記載の装置。
【請求項１２】
前記処理システムは、
前記第２のフィールドの前記値から、前記ワイヤレスノードが前記第１のフィールドによって示されるのと同じ、空間ストリームの数およびＭＣＳセットを前記第２の帯域幅のためにサポートすることが可能であると決定することと、
前記第２の帯域幅と、前記第１のＭＣＳセット中のＭＣＳと、前記決定された数の空間ストリームとを使用して、前記ワイヤレスノードと通信するように前記装置を構成することとを行うように構成された、請求項９に記載の装置。
【請求項１３】
前記処理システムは、
前記第２のフィールドの前記値から、前記ワイヤレスノードが単一空間ストリームに対する前記第２の帯域幅のために前記第２のＭＣＳセットをサポートすることが可能であると決定することと、
前記第２の帯域幅と、前記第２のＭＣＳセット中のＭＣＳと、単一空間ストリームとを使用して、前記ワイヤレスノードと通信するように前記装置を構成することとを行うように構成された、請求項９に記載の装置。
【請求項１４】
前記処理システムは、
前記第１のフィールドの前記値から、前記ワイヤレスノードが前記第１の帯域幅を含む複数の帯域幅のために前記第１のＭＣＳセットをサポートすることが可能であると決定することと、
前記複数の帯域幅のうちの１つと、前記第１のＭＣＳセット中のＭＣＳとを使用して、前記ワイヤレスノードと通信するように前記装置を構成することとを行うように構成された、請求項９に記載の装置。
【請求項１５】
前記処理システムは、
前記第１のフィールドの前記値から、前記ワイヤレスノードが異なる数の空間ストリームに関連する、前記第１のＭＣＳセット中のＭＣＳをサポートすることが可能であると決定することと、
前記第１の帯域幅と、前記第１のＭＣＳセット中のＭＣＳと、前記異なる数の空間ストリームの空間ストリームの数とを使用して、前記ワイヤレスノードと通信するように前記装置を構成することとを行うように構成された、請求項９に記載の装置。
【請求項１６】
装置によるワイヤレス通信のための方法であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２のＭＣＳセットを示す第２のフィールドとを有するフレームを生成することと、
ここにおいて、前記第２のフィールドの異なる値は、前記装置が前記第２の帯域幅のためにサポートすることが可能である異なるＭＣＳセットを示し、
前記第１のフィールドは、前記装置が前記第１の帯域幅のために前記第１のＭＣＳセットを用いた受信をサポートすることが可能であることをさらに示し、前記第２のフィールドは、前記装置が前記第２の帯域幅のために前記第２のＭＣＳセットを用いた受信をサポートすることが可能であることをさらに示し、
前記フレームは、前記装置が前記第１の帯域幅上での送信のためにサポートすることが可能である第３のＭＣＳセットを示す第３のフィールドと、前記装置が前記第２の帯域幅上での送信のためにサポートすることが可能である第４のＭＣＳセットを示す第４のフィールドとをさらに備え、
ここにおいて、前記装置は前記第１のＭＣＳセットをサポートする第１の能力と、前記第２のＭＣＳセットをサポートする第２の能力とをアドバタイジングし、
前記第１の能力をアドバタイジングするために使用されるサブフィールドのためのサブフィールド符号化は前記第２の能力をアドバタイジングするために使用されるサブフィールドのためにも使用される、
送信のために前記フレームを出力することとを備える、方法。
【請求項１７】
前記第１の帯域幅が２ＭＨｚ以上の帯域幅を備え、前記第２の帯域幅が１ＭＨｚ以下の帯域幅を備える、請求項１６に記載の方法。
【請求項１８】
前記第２のフィールドの前記異なる値は、前記装置が前記第２のＭＣＳセットを使用して前記第２の帯域幅においてサポートすることが可能である異なる数の空間ストリームを示す、請求項１６に記載の方法。
【請求項１９】
前記第２のフィールドの前記異なる値のうちの少なくとも１つが、前記第１のフィールドによって示されるのと同じ、空間ストリームの数およびＭＣＳセットを示す、請求項１６に記載の方法。
【請求項２０】
前記第２のフィールドの前記異なる値のうちの少なくとも１つは、前記装置が単一空間ストリームのために前記第２の帯域幅においてサポートすることが可能である異なるＭＣＳセットを示す、請求項１６に記載の方法。
【請求項２１】
装置によるワイヤレス通信のための方法であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２ＭＣＳセットを示す第２のフィールドとを有するフレームを生成することと、
ここにおいて、前記第２のフィールドの異なる値は、前記装置が前記第２の帯域幅のためにサポートすることが可能である異なるＭＣＳセットを示し、
前記第２のフィールドの前記異なる値によって示される前記異なるＭＣＳセットは、前記装置が前記第１のフィールドの異なる値を介して示すことができる異なるＭＣＳセットに対応し、
ここにおいて、前記装置は前記第１のＭＣＳセットをサポートする第１の能力と、前記第２のＭＣＳセットをサポートする第２の能力とをアドバタイジングし、
前記第１の能力をアドバタイジングするために使用されるサブフィールドのためのサブフィールド符号化は前記第２の能力をアドバタイジングするために使用されるサブフィールドのためにも使用される、
送信のために前記フレームを出力することとを備える、方法。
【請求項２２】
装置によるワイヤレス通信のための方法であって、
第１のフィールドと第２のフィールドとを有するフレームをワイヤレスノードから受信することと、
前記第１のフィールドの値から、前記ワイヤレスノードが第１の帯域幅のためにサポートする第１の変調およびコーディング方式（ＭＣＳ）セットを決定することと、
前記第２のフィールドの値から、前記ワイヤレスノードが第２の帯域幅のためにサポートする第２のＭＣＳセットを決定することと、
前記第１のフィールドの前記値から、前記ワイヤレスノードが前記第１の帯域幅のためにサポートする前記第１のＭＣＳセットを決定することは、前記ワイヤレスノードが前記第１の帯域幅を使用して前記第１のＭＣＳセットを用いた受信をサポートすることが可能であると決定することを備え、
前記第２のフィールドの前記値から、前記ワイヤレスノードが前記第２の帯域幅のためにサポートする前記第２のＭＣＳセットを決定することは、前記ワイヤレスノードが前記第２の帯域幅を使用して前記第２のＭＣＳセットを用いた受信をサポートすることが可能であると決定することを備え、
第３のフィールドの値から、前記ワイヤレスノードが前記第１の帯域幅を使用して送信のために第３のＭＣＳセットをサポートすることが可能であると決定することと、
第４のフィールドの値から、前記ワイヤレスノードが前記第２の帯域幅を使用して送信のために第４のＭＣＳセットをサポートすることが可能であると決定することと、ここにおいて、前記第４のフィールドの異なる値は、前記ワイヤレスノードが前記第２の帯域幅のためにサポートすることが可能である異なるＭＣＳセットを示す、
ここにおいて、前記装置は前記第１のＭＣＳセットをサポートする第１の能力と、前記第２のＭＣＳセットをサポートする第２の能力とをアドバタイジングし、
前記第１の能力をアドバタイジングするために使用されるサブフィールドのためのサブフィールド符号化は前記第２の能力をアドバタイジングするために使用されるサブフィールドのためにも使用される、
前記第１の帯域幅と前記第１または第３のＭＣＳセット中のＭＣＳ、および
前記第２の帯域幅と前記第２または第４のＭＣＳセット中のＭＣＳ
のうちの少なくとも１つを使用して、前記ワイヤレスノードと通信することとを備える、方法。
【請求項２３】
前記第１の帯域幅が２ＭＨｚ以上の帯域幅を備え、前記第２の帯域幅が１ＭＨｚ以下の帯域幅を備える、請求項２２に記載の方法。
【請求項２４】
前記第２のフィールドの前記値から、前記ワイヤレスノードが前記第２のＭＣＳセットを使用して前記第２の帯域幅のためにサポートすることが可能である空間ストリームの数を決定することと、
前記第２の帯域幅と、前記第２のＭＣＳセット中のＭＣＳと、前記決定された数の空間ストリームとを使用して、前記ワイヤレスノードと通信することとをさらに備える、請求項２２に記載の方法。
【請求項２５】
前記第２のフィールドの前記値から、前記ワイヤレスノードが前記第１のフィールドによって示されるのと同じ、空間ストリームの数およびＭＣＳセットを前記第２の帯域幅のためにサポートすることが可能であると決定することと、
前記第２の帯域幅と、前記第１のＭＣＳセット中のＭＣＳと、前記決定された数の空間ストリームとを使用して、前記ワイヤレスノードと通信することとをさらに備える、請求項２２に記載の方法。
【請求項２６】
前記第２のフィールドの前記値から、前記ワイヤレスノードが単一空間ストリームに対する前記第２の帯域幅のために前記第２のＭＣＳセットをサポートすることが可能であると決定することと、
前記第２の帯域幅と、前記第２のＭＣＳセット中のＭＣＳと、単一空間ストリームとを使用して、前記ワイヤレスノードと通信することとをさらに備える、請求項２２に記載の方法。
【請求項２７】
前記フレームを送信するための送信機をさらに備え、前記装置はワイヤレス局として構成される、請求項１に記載の装置。
【請求項２８】
前記フレームを受信するための受信機をさらに備え、前記装置はアクセスポイントとして構成される、請求項９に記載の装置。
【発明の詳細な説明】
【技術分野】
【０００１】
関連出願の相互参照
[0001]本出願は、本出願の譲受人に譲渡され、その全体が参照により本明細書に明確に組み込まれる、２０１４年８月２７日に出願された米国仮出願第６２／０４２，７２１号の利益を主張する、２０１５年８月２１日に出願された米国特許出願第１４／８３２，９９４号の優先権を主張する。
【開示の分野】
【０００２】
[0002]本開示のいくつかの態様は、一般に、ワイヤレス通信に関し、より詳細には、第１の帯域幅上での通信および第２の帯域幅上での通信のために異なる変調およびコーディング方式（ＭＣＳ：modulation and coding scheme）セットを示すためにフレームのフィールドを使用することに関する。
【関連技術の説明】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって多数ユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]より大きいカバレージおよび増加した通信範囲に対する要望に対処するために、様々な技法が開発されている。１つのそのような技法は、電気電子技術者協会（ＩＥＥＥ）８０２．１１ａｈタスクフォースによって開発されている（たとえば、米国では９０２〜９２８ＭＨｚ範囲内で動作する）サブ１ＧＨｚ（Ｓ１Ｇ：sub-one gigahertz）周波数範囲である。この開発は、他のＩＥＥＥ８０２．１１グループよりも大きいワイヤレス範囲を有し、より低い障害損失を有する周波数範囲を利用する要望によって推進される。
【０００５】
[0005]より大きいカバレージおよび増加した通信範囲を達成するための別の技法は、より長い範囲の通信（たとえば、範囲拡張）を達成するために１ＭＨｚ帯域幅通信モードを使用して広帯域幅（たとえば、１ＭＨｚより上の帯域幅）で通信することが可能なワイヤレス通信デバイス（たとえば、局およびアクセスポイント）を伴う。通信を促進するために、ワイヤレス通信デバイスは、様々な送信を通してそれらの能力をアドバタイジングし得る。ワイヤレス通信規格の以前のバージョン（たとえば、ＩＥＥＥ  Ｓｔｄ８０２．１１ａｃ）の下で動作するワイヤレス通信デバイスは、デバイスが送信するアドバタイジングフレームのフィールド中に値を設定することによって、すべての帯域幅にわたって適用するＭＣＳセットをサポートするそれらの能力をアドバタイジングし得る。
【概要】
【０００６】
[0006]本開示のいくつかの態様は、ワイヤレス通信のための装置を提供する。装置は、概して、装置が第１の帯域幅のためにサポートすることが可能である変調およびコーディング方式（ＭＣＳ）セットを示す第１のフィールドと、装置が第２の帯域幅のためにサポートすることが可能であるＭＣＳセットを示す第２のフィールドとを有するフレームを生成するように構成された処理システムと、ここにおいて、第２のフィールドの異なる値は、装置が第２の帯域幅のためにサポートすることが可能である異なるＭＣＳセットを示し、送信のためにフレームを出力するように構成されたインターフェースとを含む。
【０００７】
[0007]本開示のいくつかの態様は、ワイヤレス通信のための装置を提供する。装置は、概して、第１のフィールドと第２のフィールドとを有するフレームをワイヤレスノードから受信するためのインターフェースと、第１のフィールドの値から、ワイヤレスノードが第１の帯域幅のためにサポートする変調およびコーディング方式（ＭＣＳ）セットを決定することと、第２のフィールドの値から、ワイヤレスノードが第２の帯域幅のためにサポートするＭＣＳセットを決定することと、第１の帯域幅と第１のＭＣＳセット中のＭＣＳ、または第２の帯域幅と第２のＭＣＳセット中のＭＣＳのうちの少なくとも１つを使用して、ワイヤレスノードと通信するように装置を構成することとを行うように構成された処理システムとを含む。
【０００８】
[0008]本開示のいくつかの態様は、装置によるワイヤレス通信のための方法を提供する。方法は、概して、装置が第１の帯域幅のためにサポートすることが可能である変調およびコーディング方式（ＭＣＳ）セットを示す第１のフィールドと、装置が第２の帯域幅のためにサポートすることが可能であるＭＣＳセットを示す第２のフィールドとを有するフレームを生成することと、ここにおいて、第２のフィールドの異なる値は、装置が第２の帯域幅のためにサポートすることが可能である異なるＭＣＳセットを示し、送信のためにフレームを出力することとを含む。
【０００９】
[0009]本開示のいくつかの態様は、装置によるワイヤレス通信のための方法を提供する。方法は、概して、第１のフィールドと第２のフィールドとを有するフレームをワイヤレスノードから受信することと、第１のフィールドの値から、ワイヤレスノードが第１の帯域幅のためにサポートする変調およびコーディング方式（ＭＣＳ）セットを決定することと、第２のフィールドの値から、ワイヤレスノードが第２の帯域幅のためにサポートするＭＣＳセットを決定することと、第１の帯域幅と第１のＭＣＳセット中のＭＣＳ、または第２の帯域幅と第２のＭＣＳセット中のＭＣＳのうちの少なくとも１つを使用して、ワイヤレスノードと通信することとを含む。
【００１０】
[0010]本開示のいくつかの態様は、ワイヤレス通信のための装置を提供する。装置は、概して、装置が第１の帯域幅のためにサポートすることが可能である変調およびコーディング方式（ＭＣＳ）セットを示す第１のフィールドと、装置が第２の帯域幅のためにサポートすることが可能であるＭＣＳセットを示す第２のフィールドとを有するフレームを生成するための手段と、ここにおいて、第２のフィールドの異なる値は、装置が第２の帯域幅のためにサポートすることが可能である異なるＭＣＳセットを示し、送信のためにフレームを出力するための手段とを含む。
【００１１】
[0011]本開示のいくつかの態様は、ワイヤレス通信のための装置を提供する。装置は、概して、第１のフィールドと第２のフィールドとを有するフレームをワイヤレスノードから受信するための手段と、第１のフィールドの値から、ワイヤレスノードが第１の帯域幅のためにサポートする変調およびコーディング方式（ＭＣＳ）セットを決定するための手段と、第２のフィールドの値から、ワイヤレスノードが第２の帯域幅のためにサポートするＭＣＳセットを決定するための手段と、第１の帯域幅と第１のＭＣＳセット中のＭＣＳ、または第２の帯域幅と第２のＭＣＳセット中のＭＣＳのうちの少なくとも１つを使用して、ワイヤレスノードと通信するための手段とを含む。
【００１２】
[0012]本開示のいくつかの態様は、命令を記憶したワイヤレス通信のためのコンピュータ可読媒体を提供する。命令は、概して、装置が第１の帯域幅のためにサポートすることが可能である変調およびコーディング方式（ＭＣＳ）セットを示す第１のフィールドと、装置が第２の帯域幅のためにサポートすることが可能であるＭＣＳセットを示す第２のフィールドとを有するフレームを生成することと、ここにおいて、第２のフィールドの異なる値は、装置が第２の帯域幅のためにサポートすることが可能である異なるＭＣＳセットを示し、送信のためにフレームを出力することとを行うための命令を含む。
【００１３】
[0013]本開示のいくつかの態様は、命令を記憶したワイヤレス通信のためのコンピュータ可読媒体を提供する。命令は、概して、第１のフィールドと第２のフィールドとを有するフレームをワイヤレスノードから受信することと、第１のフィールドの値から、ワイヤレスノードが第１の帯域幅のためにサポートする変調およびコーディング方式（ＭＣＳ）セットを決定することと、第２のフィールドの値から、ワイヤレスノードが第２の帯域幅のためにサポートするＭＣＳセットを決定することと、第１の帯域幅と第１のＭＣＳセット中のＭＣＳ、または第２の帯域幅と第２のＭＣＳセット中のＭＣＳのうちの少なくとも１つを使用して、ワイヤレスノードと通信することとを行うための命令を含む。
【００１４】
[0014]本開示のいくつかの態様は、局（ＳＴＡ）を提供する。ＳＴＡは、概して、少なくとも１つのアンテナと、ＳＴＡが第１の帯域幅のためにサポートすることが可能である変調およびコーディング方式（ＭＣＳ）セットを示す第１のフィールドと、ＳＴＡが第２の帯域幅のためにサポートすることが可能であるＭＣＳセットを示す第２のフィールドとを有するフレームを生成するように構成された処理システムと、ここにおいて、第２のフィールドの異なる値は、ＳＴＡが第２の帯域幅のためにサポートすることが可能である異なるＭＣＳセットを示し、少なくとも１つのアンテナを介してワイヤレスノードにフレームを送信するように構成された送信機とを含む。
【００１５】
[0015]本開示のいくつかの態様は、アクセスポイント（ＡＰ）を提供する。ＡＰは、概して、少なくとも１つのアンテナと、少なくとも１つのアンテナを介してワイヤレスノードから第１のフィールドと第２のフィールドとを有するフレームを受信するように構成された受信機と、送信機と、第１のフィールドの値から、ワイヤレスノードが第１の帯域幅のためにサポートする変調およびコーディング方式（ＭＣＳ）セットを決定することと、第２のフィールドの値から、ワイヤレスノードが第２の帯域幅のためにサポートするＭＣＳセットを決定することと、第１の帯域幅と第１のＭＣＳセット中のＭＣＳ、または第２の帯域幅と第２のＭＣＳセット中のＭＣＳのうちの少なくとも１つを使用して、ワイヤレスノードと通信するように送信機および受信機を構成することとを行うように構成された処理システムとを含む。
【００１６】
[0016]いくつかの態様はまた、上記で説明したものに対応する動作を実行することが可能な様々な方法、装置、およびコンピュータプログラム製品を提供する。
【００１７】
[0017]本開示の上記で具陳した特徴が詳細に理解され得るように、添付の図面にその一部を示す態様を参照することによって、上記で簡単に要約されたより具体的な説明が得られ得る。ただし、その説明は他の等しく有効な態様に通じ得るので、添付の図面は、本開示のいくつかの典型的な態様のみを示し、したがって、本開示の範囲を限定するものと見なされるべきではないことに留意されたい。
【図面の簡単な説明】
【００１８】
【図１】[0018]本開示のいくつかの態様による、例示的なワイヤレス通信ネットワークの図。
【図２】[0019]本開示のいくつかの態様による、例示的なアクセスポイント（ＡＰ）およびユーザ端末（ＵＴ）のブロック図。
【図３】[0020]本開示のいくつかの態様による、例示的なワイヤレスノードのブロック図。
【図４】[0021]本開示のいくつかの態様による、ワイヤレス通信のための例示的な動作を記載する図。
【図４Ａ】[0022]図４に記載する動作を実行することが可能な例示的な手段を示す図。
【図５】[0023]本開示のいくつかの態様による、ワイヤレス通信のための例示的な動作を記載する図。
【図５Ａ】[0024]図５に記載する動作を実行することが可能な例示的な手段を示す図。
【図６】[0025]本開示のいくつかの態様による、例示的なコールフローを示す図。
【図７】[0026]本開示のいくつかの態様による、例示的な情報要素フォーマットを示す図。
【図８】[0027]本開示のいくつかの態様による、例示的なサブフィールド定義を示す図。
【図９】[0028]本開示のいくつかの態様による、例示的なサブフィールドマップを示す図。
【図１０】[0029]本開示のいくつかの態様による、例示的なコールフローを示す図。
【詳細な説明】
【００１９】
[0030]ワイヤレスネットワークの改善されたデータ送信レートに対する需要は、広い（たとえば、１ＭＨｚより上）帯域幅を使用して通信することが可能なデバイスの発展もたらした。広帯域幅で通信することが可能なワイヤレス通信デバイス（たとえば、局およびアクセスポイント）は、一般に、範囲拡張と呼ばれることがある技法においてより長い範囲にわたって通信するために１ＭＨｚ帯域幅通信モードを使用する。すなわち、デバイスは、改善されたデータ送信レートを得るために、近くにあるデバイスと通信するときに広帯域幅を使用し、長距離にわたる通信の信頼性を改善するために、１ＭＨｚ帯域幅通信モードを使用して、別のデバイスと長距離にわたって通信し得る。１ＭＨｚ帯域幅通信モードで通信するとき、低い変調およびコーディング方式（ＭＣＳ）も通信の信頼性を改善するので、デバイスは、（たとえば、ＭＣＳ１０を含む）低い変調およびコーディング方式のみを使用する。デバイスが、１ＭＨｚ帯域幅チャネルのチャネル品質がより高いＭＣＳをサポートすることを発見した場合、デバイスは、一般に、そのチャネル品質が、より高いＭＣＳを使用する１ＭＨｚ帯域幅チャネルと等価なデータスループットレートを提供するＭＣＳを使用して、より広い（たとえば、２ＭＨｚ以上）帯域幅チャネルの使用をサポートすることをも発見する。
【００２０】
[0031]ワイヤレス通信規格の以前のバージョン（たとえば、ＩＥＥＥ  Ｓｔｄ８０２．１１ａｃ）は、デバイスが、該デバイスがサポートするすべての帯域幅に対してＭＣＳの単一のセットを使用することを可能にする。すなわち、デバイスは、該デバイスがより広い（たとえば、２ＭＨｚ）帯域幅チャネルのために使用するのと同じ、ＭＣＳのセットを１ＭＨｚ帯域幅チャネルのために使用する。本開示の態様は、デバイスが、第１の帯域幅（たとえば、１ＭＨｚ帯域幅）のチャネル上での通信のためにＭＣＳセットを有効にしながら、より広い帯域幅チャネルのために異なるＭＣＳセット（たとえば、より高いＭＣＳ）を有効にすることを可能にする拡張を提供する。本開示の態様はまた、ワイヤレスノード（たとえば、局（ＳＴＡ）またはアクセスポイント（ＡＰ））が、２ＭＨｚよりも大きいかまたはそれに等しい帯域幅通信のための１つの送信（ＴＸ）および受信（ＲＸ）ＭＣＳセットと、１ＭＨｚよりも小さい帯域幅通信のための別のＭＣＳセット（たとえば、異なるＭＣＳセット）とを示すことを可能にするシグナリングの拡張を提供する。
【００２１】
[0032]添付の図面を参照しながら本開示の様々な態様について以下でより十分に説明する。ただし、本開示は、多くの異なる形態で実施され得、本開示全体にわたって提示する任意の特定の構造または機能に限定されるものと解釈されるべきではない。むしろ、これらの態様は、本開示が周到で完全になり、本開示の範囲を当業者に十分に伝えるために与えられる。本明細書の教示に基づいて、本開示の範囲は、本開示の他の態様とは無関係に実装されるにせよ、本開示の他の態様と組み合わせられるにせよ、本明細書で開示する本開示のいかなる態様をもカバーするものであることを、当業者は諒解されたい。たとえば、本明細書に記載する態様をいくつ使用しても、装置は実装され得、または方法は実施され得る。さらに、本開示の範囲は、本明細書に記載する本開示の様々な態様に加えてまたはそれらの態様以外に、他の構造、機能、または構造および機能を使用して実施されるそのような装置または方法をカバーするものとする。本明細書で開示する本開示のいずれの態様も、請求項の１つまたは複数の要素によって実施され得ることを理解されたい。
【００２２】
[0033]「例示的」という単語は、本明細書では「例、事例、または例示の働きをすること」を意味するために使用する。「例示的」として本明細書で説明するいかなる態様も、必ずしも他の態様よりも好適または有利であると解釈されるべきであるとは限らない。
【００２３】
[0034]本明細書では特定の態様について説明するが、これらの態様の多くの変形および置換は本開示の範囲内に入る。好適な態様のいくつかの利益および利点について説明するが、本開示の範囲は特定の利益、使用、または目的に限定されるものではない。むしろ、本開示の態様は、様々なワイヤレス技術、システム構成、ネットワーク、および伝送プロトコルに広く適用可能であるものとし、それらのうちのいくつかを例として、図において、および好適な態様についての以下の説明において示す。発明を実施するための形態および図面は、本開示を限定するものではなく説明するものにすぎず、本開示の範囲は添付の特許請求の範囲およびそれの均等物によって定義される。
【００２４】
例示的なワイヤレス通信システム
[0035]本明細書で説明する技法は、直交多重化方式に基づく通信システムを含む、様々なブロードバンドワイヤレス通信システムのために使用され得る。そのような通信システムの例としては、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどがある。ＳＤＭＡシステムは、複数のユーザ端末に属するデータを同時に送信するために十分に異なる方向を利用し得る。ＴＤＭＡシステムは、送信信号を異なるタイムスロットに分割することによって、複数のユーザ端末が同じ周波数チャネルを共有することを可能にし得、各タイムスロットは異なるユーザ端末に割り当てられる。ＯＦＤＭＡシステムは、全システム帯域幅を複数の直交サブキャリアに区分する変調技法である、直交周波数分割多重化（ＯＦＤＭ）を利用する。これらのサブキャリアは、トーン、ビンなどと呼ばれることもある。ＯＦＤＭでは、各サブキャリアは独立してデータで変調され得る。ＳＣ−ＦＤＭＡシステムは、システム帯域幅にわたって分散されたサブキャリア上で送信するためのインターリーブＦＤＭＡ（ＩＦＤＭＡ）、隣接するサブキャリアのブロック上で送信するための局所ＦＤＭＡ（ＬＦＤＭＡ）、または隣接するサブキャリアの複数のブロック上で送信するための拡張ＦＤＭＡ（ＥＦＤＭＡ）を利用し得る。概して、変調シンボルは、ＯＦＤＭでは周波数領域で、ＳＣ−ＦＤＭＡでは時間領域で送られる。
【００２５】
[0036]本明細書の教示は、様々なワイヤードまたはワイヤレス装置（たとえば、ノード）に組み込まれ得る（たとえば、その装置内に実装されるか、またはその装置によって実行され得る）。いくつかの態様では、本明細書の教示に従って実装されるワイヤレスノードはアクセスポイントまたはアクセス端末を備え得る。
【００２６】
[0037]アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらとして実装されるか、あるいはそれらとして知られ得る。
【００２７】
[0038]アクセス端末（ＡＴ）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、タブレット、ポータブル通信デバイス、ポータブルコンピューティングデバイス（たとえば、個人情報端末）、エンターテインメントデバイス（たとえば、音楽もしくはビデオデバイス、または衛星ラジオ）、全地球測位システム（ＧＰＳ）デバイス、あるいはワイヤレスまたはワイヤード媒体を介して通信するように構成された他の好適なデバイスに組み込まれ得る。いくつかの態様では、ノードはワイヤレスノードである。そのようなワイヤレスノードは、たとえば、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２８】
[0039]図１は、本開示の態様が実施され得る、アクセスポイントとユーザ端末とをもつ多元接続多入力多出力（ＭＩＭＯ）システム１００を示す。たとえば、１つまたは複数のユーザ端末１２０は、本明細書で提供する技法を使用して、能力を（たとえば、アクセスポイント１１０に）シグナリングし得る。
【００２９】
[0040]簡単のために、ただ１つのアクセスポイント１１０が図１に示されている。アクセスポイントは、概して、ユーザ端末と通信する固定局であり、基地局または何らかの他の用語で呼ばれることもある。ユーザ端末は、固定また移動であり得、移動局、ワイヤレスデバイス、または何らかの他の用語で呼ばれることもある。アクセスポイント１１０は、ダウンリンクおよびアップリンク上で所与の瞬間において１つまたは複数のユーザ端末１２０と通信し得る。ダウンリンク（すなわち、順方向リンク）はアクセスポイントからユーザ端末への通信リンクであり、アップリンク（すなわち、逆方向リンク）はユーザ端末からアクセスポイントへの通信リンクである。ユーザ端末はまた、別のユーザ端末とピアツーピアで通信し得る。システムコントローラ１３０が、アクセスポイントに結合し、アクセスポイントのための調整および制御を行う。
【００３０】
[0041]以下の開示の部分では、空間分割多元接続（ＳＤＭＡ）によって通信することが可能なユーザ端末１２０について説明するが、いくつかの態様では、ユーザ端末１２０は、ＳＤＭＡをサポートしないいくつかのユーザ端末をも含み得る。したがって、そのような態様では、ＡＰ１１０は、ＳＤＭＡユーザ端末と非ＳＤＭＡユーザ端末の両方と通信するように構成され得る。この手法は、好都合なことに、より新しいＳＤＭＡユーザ端末が適切と見なされるときに導入されることを可能にしながら、古いバージョンのユーザ端末（「レガシー」局）が企業において展開されたままであることを可能にし、それらの有効寿命を延長し得る。
【００３１】
[0042]アクセスポイント１１０およびユーザ端末１２０は、ダウンリンクおよびアップリンク上でのデータ送信のために複数の送信アンテナと複数の受信アンテナとを採用する。ダウンリンクＭＩＭＯ送信の場合、アクセスポイント１１０のＮap個のアンテナがＭＩＭＯの多入力（ＭＩ）部分を表し、Ｋ個のユーザ端末のセットがＭＩＭＯの多出力（ＭＯ）部分を表す。逆に、アップリンクＭＩＭＯ送信の場合、Ｋ個のユーザ端末のセットはＭＩ部分を表し、アクセスポイント１１０のＮap個のアンテナはＭＯ部分を表す。純粋なＳＤＭＡの場合、Ｋ個のユーザ端末のためのデータシンボルストリームが、何らかの手段によって、コード、周波数または時間において多重化されない場合、Ｎap≧Ｋ≧１を有することが望まれる。ＴＤＭＡ技法、ＣＤＭＡを用いた異なるコードチャネル、ＯＦＤＭを用いたサブバンドの独立セットなどを使用してデータシンボルストリームが多重化され得る場合、ＫはＮapよりも大きくなり得る。各選択されたユーザ端末は、アクセスポイントにユーザ固有データを送信し、および／またはアクセスポイントからユーザ固有データを受信する。概して、各選択されたユーザ端末は１つまたは複数のアンテナを装備し得る（すなわち、Ｎut≧１）。Ｋ個の選択されたユーザ端末は、同じまたは異なる数のアンテナを有することができる。
【００３２】
[0043]システム１００は、時分割複信（ＴＤＤ）システムまたは周波数分割複信（ＦＤＤ）システムであり得る。ＴＤＤシステムの場合、ダウンリンクとアップリンクは同じ周波数帯域を共有する。ＦＤＤシステムの場合、ダウンリンクとアップリンクは異なる周波数帯域を使用する。ＭＩＭＯシステム１００はまた、送信のために単一のキャリアまたは複数のキャリアを利用し得る。各ユーザ端末は、（たとえば、コストを抑えるために）単一のアンテナを装備するか、または（たとえば、追加コストがサポートされ得る場合）複数のアンテナを装備し得る。システム１００はまた、送信／受信を異なるタイムスロットに分割することによってユーザ端末１２０が同じ周波数チャネルを共有する場合、ＴＤＭＡシステムであり得、各タイムスロットは異なるユーザ端末１２０に割り当てられる。
【００３３】
[0044]図２は、図１を参照して上記で説明したアクセスポイント１１０およびユーザ端末１２０の例であり、本明細書で説明する技法を実行することが可能であり得る、ＭＩＭＯシステム１００中のアクセスポイント１１０と、２つのユーザ端末１２０ｍおよび１２０ｘとのブロック図を示す。図２に示されている様々なプロセッサは、本明細書で説明する様々な方法、たとえば、図４および図５に関連して説明する動作４００のおよび５００を実行するように（または、デバイスに実行するように指示するように）構成され得る。
【００３４】
[0045]アクセスポイント１１０はＮt個のアンテナ２２４ａ〜２２４ｔを装備する。ユーザ端末１２０ｍはＮut,m個のアンテナ２５２ｍａ〜２５２ｍｕを装備し、ユーザ端末１２０ｘはＮut,x個のアンテナ２５２ｘａ〜２５２ｘｕを装備する。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用する「送信エンティティ」は、ワイヤレスチャネルを介してデータを送信することが可能な独立動作型の装置またはデバイスであり、「受信エンティティ」は、ワイヤレスチャネルを介してデータを受信することが可能な独立動作型の装置またはデバイスである。以下の説明では、下付き「ｄｎ」はダウンリンクを示し、下付き「ｕｐ」はアップリンクを示す。ＳＤＭＡ送信の場合、Ｎup個のユーザ端末がアップリンク上で同時に送信し、Ｎdn個のユーザ端末が、アクセスポイント１１０によってダウンリンク上で同時に送信される。ＮupはＮdnに等しいことも等しくないこともあり、ＮupおよびＮdnは静的な値であり得るか、または各スケジューリング間隔について変化することがある。ビームステアリングまたは何らかの他の空間処理技法がアクセスポイントおよびユーザ端末において使用され得る。
【００３５】
[0046]アップリンク上で、アップリンク送信のために選択された各ユーザ端末１２０において、送信（ＴＸ）データプロセッサ２８８は、データソース２８６からトラフィックデータを受信し、コントローラ２８０から制御データを受信する。コントローラ２８０はメモリ２８２と結合され得る。ＴＸデータプロセッサ２８８は、ユーザ端末のために選択されたレートに関連するコーディングおよび変調方式に基づいてユーザ端末のためのトラフィックデータを処理（たとえば、符号化、インターリーブ、および変調）し、データシンボルストリームを与える。ＴＸ空間プロセッサ２９０は、データシンボルストリームに対して空間処理を実行し、Ｎut,m個の送信シンボルストリームをＮut,m個のアンテナに与える。各送信機ユニット（ＴＭＴＲ）２５４は、アップリンク信号を生成するために、それぞれの送信シンボルストリームを受信し、処理（たとえば、アナログ変換、増幅、フィルタ処理、および周波数アップコンバート）する。Ｎut,m個の送信機ユニット２５４は、Ｎut,m個のアンテナ２５２からアクセスポイントへの送信のためのＮut,m個のアップリンク信号を与える。
【００３６】
[0047]Ｎup個のユーザ端末が、アップリンク上での同時送信のためにスケジュールされ得る。これらのユーザ端末の各々は、それのデータシンボルストリームに対して空間処理を実行し、アップリンク上で送信シンボルストリームのそれのセットをアクセスポイントに送信する。
【００３７】
[0048]アクセスポイント１１０において、Ｎap個のアンテナ２２４ａ〜２２４ａｐは、アップリンク上で送信するすべてのＮup個のユーザ端末からアップリンク信号を受信する。各アンテナ２２４は、受信信号をそれぞれの受信機ユニット（ＲＣＶＲ）２２２に与える。各受信機ユニット２２２は、送信機ユニット２５４によって実行された処理に相補的な処理を実行し、受信シンボルストリームを与える。ＲＸ空間プロセッサ２４０は、Ｎap個の受信機ユニット２２２からのＮap個の受信シンボルストリームに対して受信機空間処理を実行し、Ｎup個の復元アップリンクデータシンボルストリームを与える。受信機空間処理は、チャネル相関行列反転（ＣＣＭＩ）、最小平均２乗誤差（ＭＭＳＥ）、ソフト干渉消去（ＳＩＣ）、または何らかの他の技法に従って実行される。各復元アップリンクデータシンボルストリームは、それぞれのユーザ端末によって送信されたデータシンボルストリームの推定値である。ＲＸデータプロセッサ２４２は、復号データを得るために、そのストリームのために使用されたレートに応じて各復元アップリンクデータシンボルストリームを処理（たとえば、復調、デインターリーブ、および復号）する。各ユーザ端末のための復号データは、記憶のためにデータシンク２４４に与えられ、および／またはさらなる処理のためにコントローラ２３０に与えられ得る。コントローラ２３０はメモリ２３２と結合され得る。
【００３８】
[0049]ダウンリンク上では、アクセスポイント１１０において、ＴＸデータプロセッサ２１０は、ダウンリンク送信のためにスケジュールされたＮdn個のユーザ端末のためのデータソース２０８からトラフィックデータを受信し、コントローラ２３０から制御データを受信し、場合によってはスケジューラ２３４から他のデータを受信する。様々なタイプのデータが異なるトランスポートチャネル上で送られ得る。ＴＸデータプロセッサ２１０は、各ユーザ端末のために選択されたレートに基づいてそのユーザ端末のためのトラフィックデータを処理（たとえば、符号化、インターリーブ、および変調）する。ＴＸデータプロセッサ２１０はＮdn個のダウンリンクデータシンボルストリームをＮdn個のユーザ端末に与える。ＴＸ空間プロセッサ２２０は、Ｎdn個のダウンリンクデータシンボルストリームに対して（本開示で説明するプリコーディングまたはビームフォーミングなどの）空間処理を実行し、Ｎap個の送信シンボルストリームをＮap個のアンテナに与える。各送信機ユニット２２２は、ダウンリンク信号を生成するために、それぞれの送信シンボルストリームを受信し、処理する。Ｎap個の送信機ユニット２２２は、Ｎap個のアンテナ２２４からユーザ端末への送信のためのＮap個のダウンリンク信号を与える。
【００３９】
[0050]各ユーザ端末１２０において、Ｎut,m個のアンテナ２５２はアクセスポイント１１０からＮap個のダウンリンク信号を受信する。各受信機ユニット２５４は、関連するアンテナ２５２からの受信信号を処理し、受信シンボルストリームを与える。ＲＸ空間プロセッサ２６０は、Ｎut,m個の受信機ユニット２５４からのＮut,m個の受信シンボルストリームに対して受信機空間処理を実行し、復元ダウンリンクデータシンボルストリームをユーザ端末に与える。受信機空間処理は、ＣＣＭＩ、ＭＭＳＥまたは何らかの他の技法に従って実行される。ＲＸデータプロセッサ２７０は、ユーザ端末のための復号データを取得するために、復元ダウンリンクデータシンボルストリームを処理（たとえば、復調、デインターリーブおよび復号）する。各ユーザ端末のための復号データは、記憶のためにデータシンク２７２に与えられ、および／またはさらなる処理のためにコントローラ２８０に与えられ得る。
【００４０】
[0051]各ユーザ端末１２０において、チャネル推定器２７８は、ダウンリンクチャネル応答を推定し、チャネル利得推定値、ＳＮＲ推定値、雑音分散などを含み得る、ダウンリンクチャネル推定値を与える。同様に、アクセスポイント１１０において、チャネル推定器２２８は、アップリンクチャネル応答を推定し、アップリンクチャネル推定値を与える。各ユーザ端末のためのコントローラ２８０は、一般に、そのユーザ端末のためのダウンリンクチャネル応答行列Ｈdn,mに基づいてユーザ端末のための空間フィルタ行列を導出する。コントローラ２３０は、有効アップリンクチャネル応答行列Ｈup,effに基づいてアクセスポイントのための空間フィルタ行列を導出する。各ユーザ端末のためのコントローラ２８０は、フィードバック情報（たとえば、ダウンリンクおよび／またはアップリンク固有ベクトル、固有値、ＳＮＲ推定値など）をアクセスポイントに送り得る。コントローラ２３０およびコントローラ２８０はまた、それぞれ、アクセスポイント１１０およびユーザ端末１２０における様々な処理ユニットの動作を制御する。
【００４１】
[0052]図３は、本開示の態様を実装するためにＡＰ１１０および／またはＵＴ１２０中で利用され得る例示的な構成要素を示す。たとえば、送信機３１０、（１つまたは複数の）アンテナ３１６、プロセッサ３０４、および／またはＤＳＰ３２０は、以下の図４に関連して説明する動作４００など、ＡＰまたはＵＴによって実装される本開示の態様を実施するために使用され得る。さらに、受信機３１２、（１つまたは複数の）アンテナ３１６、プロセッサ３０４、および／またはＤＳＰ３２０は、図５に関連して説明する動作５００など、ＡＰまたはＵＴによって実装される本開示の態様を実施するために使用され得る。ワイヤレスノード（たとえば、ワイヤレスデバイス）３０２は、アクセスポイント１１０またはユーザ端末１２０であり得る。
【００４２】
[0053]ワイヤレスノード（たとえば、ワイヤレスデバイス）３０２は、ワイヤレスノード３０２の動作を制御するプロセッサ３０４を含み得る。プロセッサ３０４は中央処理ユニット（ＣＰＵ）と呼ばれることもある。プロセッサ３０４は、本明細書で説明する様々な方法、たとえば、図４および図５に関連して説明する動作４００および５００を実行する際にワイヤレスノード３０２を制御し得る。読取り専用メモリ（ＲＯＭ）とランダムアクセスメモリ（ＲＡＭ）の両方を含み得るメモリ３０６は、命令とデータとをプロセッサ３０４に与える。メモリ３０６の一部分は不揮発性ランダムアクセスメモリ（ＮＶＲＡＭ）をも含み得る。プロセッサ３０４は、一般に、メモリ３０６内に記憶されたプログラム命令に基づいて論理演算と算術演算とを実行する。メモリ３０６中の命令は、本明細書で説明する方法、たとえば、図４および図５に関連して説明する動作４００および５００を実装するために実行可能であり得る。
【００４３】
[0054]ワイヤレスノード３０２はまた、ワイヤレスノード３０２とリモートノードとの間のデータの送信および受信を可能にするために送信機３１０と受信機３１２とを含み得るハウジング３０８を含み得る。送信機３１０と受信機３１２とは組み合わせられてトランシーバ３１４になり得る。単一の送信アンテナまたは複数の送信アンテナ３１６が、ハウジング３０８に取り付けられ、トランシーバ３１４に電気的に結合され得る。ワイヤレスノード３０２はまた、複数の送信機と、複数の受信機と、複数のトランシーバとを含み得る（図示せず）。
【００４４】
[0055]ワイヤレスノード３０２は、トランシーバ３１４によって受信された信号のレベルを検出および定量化するために使用され得る信号検出器３１８をも含み得る。信号検出器３１８は、そのような信号を、総エネルギー、シンボルごとのサブキャリア当たりのエネルギー、電力スペクトル密度および他の信号として検出し得る。ワイヤレスノード３０２は、信号を処理する際に使用するためのデジタル信号プロセッサ（ＤＳＰ）３２０をも含み得る。
【００４５】
[0056]ワイヤレスノード３０２の様々な構成要素は、データバスに加えて、電力バスと、制御信号バスと、ステータス信号バスとを含み得る、バスシステム３２２によって互いに結合され得る。
【００４６】
[0057]概して、ＡＰおよびＳＴＡは、同様の（たとえば、対称的または相補的）動作を実行し得る。したがって、本明細書で説明する技法の多くについて、ＡＰまたはＳＴＡは同様の動作を実行し得る。そのために、以下の説明では、動作がいずれによっても実行され得ることを反映するために、「ＡＰ／ＳＴＡ」と時々言う。とはいえ、「ＡＰ」または「ＳＴＡ」のみが使用される場合でも、それは、対応する動作または機構がそのタイプのデバイスに限定されることを意味しないことを理解されたい。
異なる帯域幅のためのＭＣＳセットの例示的なシグナリング
[0058]広帯域幅（たとえば、１ＭＨｚより上の帯域幅）で通信することが可能なワイヤレス通信デバイス（たとえば、局およびアクセスポイント）は、一般に、より長い範囲の通信（たとえば、範囲拡張）を達成するために１ＭＨｚ帯域幅通信モードを使用する。これらのデバイスは、一般に、範囲拡張のために１ＭＨｚ帯域幅モードを使用するので、デバイスは、１ＭＨｚ帯域幅通信モードのために（たとえば、ＭＣＳ１０を含む）低いＭＣＳのみを使用する。１ＭＨｚ帯域幅チャネルのチャネル品質が、より高いＭＣＳをサポートするために十分に良好であることをデバイスが発見した場合、デバイスは、一般に、そのチャネル品質が、より高いＭＣＳを使用する１ＭＨｚチャネルと等価なデータスループットレートを提供するＭＣＳを使用して、より広い（たとえば２ＭＨｚ以上）帯域幅チャネルをサポートするために十分に良好であることを発見することになる。
【００４７】
[0059]ワイヤレス通信規格の以前のバージョン（たとえば、ＩＥＥＥ８０２．１１ａｃ）は、デバイスが、デバイスがサポートするすべての帯域幅に対して、ＭＣＳの単一のセットを使用することを可能にする。本開示の態様によれば、デバイスが、第１の帯域幅（たとえば、１ＭＨｚ帯域幅）のチャネル上での通信のためにＭＣＳセットを有効にしながら、さらに、より広い帯域幅チャネルのために異なるＭＣＳセットを有効にする（たとえば、より高いＭＣＳをサポートする）ことを可能にする方法および装置が提供される。
【００４８】
[0060]図４は、本開示のいくつかの態様による、ワイヤレス通信のための例示的な動作４００を記載する。動作４００は、装置、たとえば、それの能力をアドバタイジングする局によって実行され得る。
【００４９】
[0061]動作４００は、４０２において、装置が第１の帯域幅のためにサポートすることが可能である第１の変調およびコーディング方式（ＭＣＳ）セットを示す第１のフィールドと、装置が第２の帯域幅のためにサポートすることが可能である第２の変調およびコーディング方式（ＭＣＳ）セットを示す第２のフィールドとを有するフレームを生成することによって開始し得、ここにおいて、第２のフィールドの異なる値は、装置が第２の帯域幅のためにサポートすることが可能である異なるＭＣＳセットを示し、ここにおいて、サポートは、送信機または受信機のいずれかあるいは両方としてのものであり得る。４０４において、装置は、送信のためにフレームを出力する。
【００５０】
[0062]図４Ａは、図４に記載された動作を実行することが可能な例示的な手段４００Ａを示す。例示的な手段４００Ａは、装置が第１の帯域幅のためにサポートすることが可能である第１の変調およびコーディング方式（ＭＣＳ）セットを示す第１のフィールドと、装置が第２の帯域幅のためにサポートすることが可能である第２のＭＣＳセットを示す第２のフィールドとを有するフレームを生成するための手段４０２Ａを含み、ここにおいて、第２のフィールドの異なる値は、装置が第２の帯域幅のためにサポートすることが可能である異なるＭＣＳセットを示し、ここにおいて、サポートは、送信機または受信機のいずれかあるいは両方としてのものであり得る。手段４０２Ａは、たとえば、図２および図３に示されているコントローラ２３０、ＴＸデータプロセッサ２１０、ＴＸ空間プロセッサ２２０、および／またはプロセッサ３０４を含み得る。例示的な手段４００Ａは、送信のためにフレームを出力するための手段４０４Ａをも含む。手段４０４Ａは、たとえば、図２および図３に示されているコントローラ２３０、ＴＸデータプロセッサ２１０、ＴＸ空間プロセッサ２２０、プロセッサ３０４、および／またはバスシステム３２２を含み得る。
【００５１】
[0063]図５は、本開示の態様による、ワイヤレス通信のための例示的な動作５００を記載する。動作５００は、装置、たとえば、アクセスポイントによって実行され得、動作４００に対する相補的（ＡＰ側）動作と見なされ得る。
【００５２】
[0064]動作５００は、５０２において、第１のフィールドと第２のフィールドとを有するフレームをワイヤレスノードから受信することによって開始し得る。５０４において、装置は、第１のフィールドの値から、ワイヤレスノードが第１の帯域幅のためにサポートする第１の変調およびコーディング方式（ＭＣＳ）セットを決定し、第２のフィールドの値から、ワイヤレスノードが第２の帯域幅のためにサポートする第２のＭＣＳセットを決定する。５０６において、装置は、第１の帯域幅と第１のＭＣＳセット中のＭＣＳ、または第２の帯域幅と第２のＭＣＳセット中のＭＣＳのうちの少なくとも１つを使用して、ワイヤレスノードと通信する。
【００５３】
[0065]図５Ａは、図５に記載された動作を実行することが可能な例示的な手段５００Ａを示す。例示的な手段５００Ａは、第１のフィールドと第２のフィールドとを有するフレームをワイヤレスノードから受信するための手段５０２Ａを含む。手段５０２Ａは、たとえば、図２および図３に示されているアンテナ２２４、アンテナ２５２、受信機ユニット２２２、受信機ユニット２５４、ＲＸ空間プロセッサ２４０、ＲＸ空間プロセッサ２６０、ＲＸデータプロセッサ２４２、ＲＸデータプロセッサ２７０、コントローラ２３０、コントローラ２８０、アンテナ３１６、受信機３１２、デジタル信号プロセッサ３２０、および／またはプロセッサ３０４を含み得る。例示的な手段５００Ａは、第１のフィールドの値から、ワイヤレスノードが第１の帯域幅のためにサポートする第１の変調およびコーディング方式（ＭＣＳ）セットを決定し、第２のフィールドの値から、ワイヤレスノードが第２の帯域幅のためにサポートする第２のＭＣＳセットを決定するための手段５０４Ａをも含む。手段５０４Ａは、たとえば、図２および図３に示されているＲＸデータプロセッサ２４０、ＲＸデータプロセッサ２７０、コントローラ２３０、コントローラ２８０、および／またはプロセッサ３０４を含み得る。例示的な手段５００Ａは、第１の帯域幅と第１のＭＣＳセット中のＭＣＳ、または第２の帯域幅と第２のＭＣＳセット中のＭＣＳのうちの少なくとも１つを使用して、ワイヤレスノードと通信するための手段５０６Ａをさらに含む。手段５０６Ａは、たとえば、図２および図３に示されているコントローラ２３０、ＴＸデータプロセッサ２１０、ＴＸ空間プロセッサ２２０、アンテナ２２４、アンテナ２５２、受信機ユニット２２２、受信機ユニット２５４、ＲＸ空間プロセッサ２４０、ＲＸ空間プロセッサ２６０、ＲＸデータプロセッサ２４２、ＲＸデータプロセッサ２７０、コントローラ２３０、コントローラ２８０、アンテナ３１６、受信機３１２、デジタル信号プロセッサ３２０、および／またはプロセッサ３０４を含み得る。
【００５４】
[0066]図４および５に関連して開示する動作は、たとえば、サブ１ギガヘルツ（Ｓ１Ｇ）局によって実行され得る。本開示の態様によれば、Ｓ１Ｇ  ＳＴＡは、それのＳ１Ｇ能力要素をアドバタイジングすることによって、（たとえば、他のＳＴＡおよび／またはＡＰに）Ｓ１Ｇ  ＳＴＡであると宣言し得る。
【００５５】
[0067]図６は、それの能力をアドバタイジングするそのようなＳＴＡと、ＡＰとの間の例示的なコールフロー６００を示す。例示的なコールフローでは、ＳＴＡは、Ｓ１Ｇ能力要素をＡＰに送信することによって、ＳＴＡがＳ１Ｇ  ＳＴＡであると宣言する。Ｓ１Ｇ能力要素の一例について、図７を参照しながら以下で詳細に説明する。
【００５６】
[0068]ＡＰおよびＳＴＡは、次いで、たとえば、図４および図５に関して上記で説明したように、第１の帯域幅のチャネルを使用する通信のためのＭＣＳセットと、第２の帯域幅のチャネルを使用する通信のための異なるＭＣＳセットとを示すことを含む、Ｓ１Ｇ能力を使用して通信するに進む。例示的なコールフローは、ＳＴＡがＳ１Ｇ能力要素をＡＰに送信することを示すが、本開示はそのように限定されない。たとえば、ＡＰが、Ｓ１Ｇ能力要素をＳＴＡまたは別のＡＰに送信し得、ＳＴＡが、Ｓ１Ｇ能力要素を別のＳＴＡに、たとえば、ピアツーピアネットワークにおいて送信し得る。
【００５７】
[0069]図７は、本開示の態様による、例示的なＳ１Ｇ能力要素を示す。例示的なＳ１Ｇ能力要素は、Ｓ１Ｇ  ＳＴＡのＳ１Ｇ能力をアドバタイジングするために使用されるいくつかのフィールドを含んでいる。要素ＩＤフィールド７０２および長さフィールド７０４は、ＩＥＥＥ  Ｓｔｄ８０２．１１において定義されている。Ｓ１Ｇ能力情報フィールド７０６の構造は、ＩＥＥＥ  Ｓｔｄ８０２．１１において定義されている。被サポートＳ１Ｇ−ＭＣＳおよびＮＳＳセット（Supported S1G-MCS and NSS Set）フィールド７０８は、ＳＴＡが受信のためにサポートするＳ１Ｇ−ＭＣＳと空間ストリーム（spatial stream）との組合せ、およびＳＴＡが送信のためにサポートするＳ１Ｇ−ＭＣＳと空間ストリームとの組合せを伝達するために使用される。被サポートＳ１Ｇ−ＭＣＳおよびＮＳＳセットサブフィールドについて、図８に関して以下で説明する。
【００５８】
[0070]図８は、本開示の態様による、被サポートＳ１Ｇ−ＭＣＳおよびＮＳＳセットフィールド７０８のサブフィールドのための例示的な定義８００を示す。被サポートＳ１Ｇ−ＭＣＳおよびＮＳＳセットフィールド７０８のサブフィールドは、Ｒｘ  Ｓ１Ｇ−ＭＣＳマップ（Rx S1G-MCS Map）サブフィールド７１０と、Ｒｘ最高被サポートロングＧＩデータレート（Rx Highest Supported Long GI Data Rate）サブフィールド７１２と、Ｔｘ  Ｓ１Ｇ−ＭＣＳマップ（Tx S1G-MCS Map）サブフィールド７１４と、Ｔｘ最高被サポートロングＧＩデータレート（Tx Highest Supported Long GI Data Rate）サブフィールド７１６と、１ＭＨｚのためのＲｘ単一空間ストリームおよびＳ１Ｇ−ＭＣＳマップ（Rx Single Spatial Stream and S1G-MCS Map for 1 MHz）サブフィールド７１８と、１ＭＨｚのためのＴｘ単一空間ストリームおよびＳ１Ｇ−ＭＣＳマップ（Tx Single Spatial Stream and S1G-MCS Map for 1 MHz）サブフィールド７２０とを含む。
【００５９】
[0071]本明細書で説明するように、Ｒｘ／Ｔｘ  Ｓ１Ｇ−ＭＣＳマップサブフィールド７１０／７１４と、１ＭＨｚのためのＲｘ／Ｔｘ単一空間ストリームおよびＳ１Ｇ−ＭＣＳマップサブフィールド７１８／７２０とは、２ＭＨｚよりも大きいかまたはそれに等しい帯域幅のための異なる送信（ＴＸ）および受信（ＲＸ）ＭＣＳセットと、１ＭＨｚ未満帯域幅のための別のＭＣＳセットとをシグナリングするために使用され得る。これらのフィールドのための例示的な定義が、後続の段落で与えられる。
【００６０】
[0072]Ｒｘ  Ｓ１Ｇ−ＭＣＳマップサブフィールドは、各数の空間ストリームについて、ＳＴＡによってサポートされるすべてのチャネル幅において受信され得るＰＰＤＵのＲＸＶＥＣＴＯＲパラメータＭＣＳの最大値を示す。ただし、１ＭＨｚのためのＲｘ単一空間ストリームおよびＳ１Ｇ−ＭＣＳマップサブフィールドの値が、１よりも大きいかまたはそれに等しい場合、Ｒｘ単一空間ストリームおよびＳ１Ｇ−ＭＣＳマップサブフィールドによって示される１つのＳＳのための最大Ｓ１Ｇ−ＭＣＳ（Max S1G-MCS for 1 SS）の値のみが、１ＭＨｚチャネル幅のために適用可能である。たとえば、図９を参照すると、ＳＴＡは、ＳＴＡが１ＭＨｚ、２ＭＨｚ、４ＭＨｚ、および８ＭＨｚ帯域幅上で受信することができるという表示を送信し得る。本例では、ＳＴＡはまた、示される帯域幅のすべてにわたって、ＳＴＡが１つの空間ストリームのためにＳ１Ｇ−ＭＣＳ７を受信することができることを示す、第１のサブフィールド中の１の値と、ＳＴＡが２つの空間ストリームのためにＳ１Ｇ−ＭＣＳ７を受信することができることを示す、第２のサブフィールド中の１の値と、ＳＴＡが３つの空間ストリームのためにＳ１Ｇ−ＭＣＳ２を受信することができることを示す、第３のサブフィールド中の０の値と、ＳＴＡが４つの空間ストリームのためにＳ１Ｇ−ＭＣＳ２を受信することができることを示す、第４のサブフィールド中の０の値とをもつ、Ｓ１Ｇ能力要素中のＲｘ  Ｓ１Ｇ−ＭＣＳマップサブフィールドを送信し得る。さらに本例では、ＳＴＡは、１ＭＨｚのためのＲｘ単一空間ストリームおよびＳ１Ｇ−ＭＣＳマップサブフィールド中で１の値を送信し、単一空間ストリームおよび１ＭＨｚ帯域幅チャネルについて、Ｒｘ  Ｓ１Ｇ−ＭＣＳマップの第１のサブフィールドによって示されるように、ＳＴＡが、Ｓ１Ｇ−ＭＣＳ７ではなくＳ１Ｇ−ＭＣＳ２を受信することができることを示し得る。本例では、ＳＴＡは、２ＭＨｚ、４ＭＨｚ、および８ＭＨｚ帯域幅チャネルにおいて１つの空間ストリーム上でＳ１Ｇ−ＭＣＳ７を受信することができる。
【００６１】
[0073]Ｔｘ  Ｓ１Ｇ−ＭＣＳマップサブフィールドは、各数の空間ストリームについて、このＳＴＡによってサポートされるすべてのチャネル幅において送信され得るＰＰＤＵのＴＸＶＥＣＴＯＲパラメータＭＣＳの最大値を示す。ただし、１ＭＨｚのためのＴｘ単一空間ストリームおよびＳ１Ｇ−ＭＣＳマップの値が、１よりも大きいかまたはそれに等しい場合、上記で説明した、Ｒｘ  Ｓ１Ｇ−ＭＣＳマップサブフィールドの値とＲｘ単一空間ストリームおよびＳ１Ｇ−ＭＣＳマップサブフィールドの値との相互関係と同様に、Ｔｘ単一空間ストリームおよびＳ１Ｇ−ＭＣＳマップサブフィールドによって示される１つのＳＳのための最大Ｓ１Ｇ−ＭＣＳの値のみが、１ＭＨｚチャネル幅のために適用可能である。
【００６２】
[0074]１ＭＨｚのためのＲｘ単一空間ストリームおよびＳ１Ｇ−ＭＣＳマップサブフィールドは、単一空間ストリームＰＰＤＵのみがこのＳＴＡによって１ＭＨｚチャネル幅において受信され得るかどうかを示す。サブフィールドは、２ビット長であり、したがって、０、１、２、または３の値を伝達し得る。０の値は、Ｒｘ  Ｓ１Ｇ−ＭＣＳマップフィールドによって示されるのと同じ空間ストリームの数および同じ最大Ｓ１Ｇ−ＭＣＳを示す。１の値は、単一空間ストリームのみと、１つのＳＳのためのＳ１Ｇ−ＭＣＳサブフィールド中の０の値によって示される最大Ｓ１Ｇ−ＭＣＳとを示す。２の値は、単一空間ストリームのみと、１つのＳＳのためのＳ１Ｇ−ＭＣＳ中の１の値によって示される最大Ｓ１Ｇ−ＭＣＳとを示す。３の値は、単一空間ストリームのみと、１つのＳＳのためのＳ１Ｇ−ＭＣＳ中の２の値によって示される最大Ｓ１Ｇ−ＭＣＳとを示す。
【００６３】
[0075]１ＭＨｚのためのＴｘ単一空間ストリームおよびＳ１Ｇ−ＭＣＳマップサブフィールドは、単一空間ストリームＰＰＤＵのみがこのＳＴＡによって１ＭＨｚチャネル幅において送信され得るかどうかを示す。サブフィールドは、０、１、２、または３の値で符号化され得る。０の値は、ＳＴＡが、Ｔｘ  Ｓ１Ｇ−ＭＣＳマップサブフィールドによって示されるのと同じ空間ストリームの数および同じ最大Ｓ１Ｇ−ＭＣＳを１ＭＨｚ帯域幅チャネル上で送信することができることを示す。１の値は、ＳＴＡが、単一空間ストリームのみと、１つのＳＳのためのＳ１Ｇ−ＭＣＳサブフィールド中の０の値によって示される最大Ｓ１Ｇ−ＭＣＳとを１ＭＨｚ帯域幅チャネル上で送信することができることを示す。２の値は、ＳＴＡが、単一空間ストリームのみと、１つのＳＳのためのＳ１Ｇ−ＭＣＳ中の１の値によって示される最大Ｓ１Ｇ−ＭＣＳとを１ＭＨｚ帯域幅チャネル上で送信することができることを示す。３の値は、ＳＴＡが、単一空間ストリームのみと、１つのＳＳのためのＳ１Ｇ−ＭＣＳ中の２の値によって示される最大Ｓ１Ｇ−ＭＣＳとを１ＭＨｚ帯域幅チャネル上で送信することができることを示す。
【００６４】
[0076]Ｓ１Ｇ  ＳＴＡは、図８に示されている定義に示されるように、および図９に従って、Ｒｘ  Ｓ１Ｇ−ＭＣＳマップサブフィールドの適切な値を設定することによって、ＳＴＡが２ＭＨｚ以上の帯域幅をもつチャネルを受信するときにサポートするＭＣＳのセットを示し得る。同様に、Ｓ１Ｇ  ＳＴＡは、Ｔｘ  Ｓ１Ｇ−ＭＣＳマップサブフィールドの適切な値を設定することによって、ＳＴＡが２ＭＨｚ以上の帯域幅をもつチャネルを送信するときにサポートするＭＣＳのセットを示し得る。
【００６５】
[0077]Ｓ１Ｇ  ＳＴＡは、１ＭＨｚのためのＲｘ単一空間ストリームおよびＳ１Ｇ−ＭＣＳマップサブフィールドの適切な値を設定することによって、ＳＴＡが１ＭＨｚ以下の帯域幅をもつチャネルを受信するときにサポートするＭＣＳの異なるセットを示し得る。同様に、Ｓ１Ｇ  ＳＴＡは、１ＭＨｚのためのＴｘ単一空間ストリームおよびＳ１Ｇ−ＭＣＳマップサブフィールドの適切な値を設定することによって、ＳＴＡが１ＭＨｚ以下の帯域幅をもつチャネルを送信するときにサポートするＭＣＳの異なるセットを示し得る。図８は、Ｓ１Ｇ  ＳＴＡが、ＳＴＡがサポートするＭＣＳの異なるセットを示すことに言及するが、ＡＰも、被サポートＳ１Ｇ−ＭＣＳおよびＮＳＳセットフィールドのサブフィールド中の適切な値を設定することによって、ＡＰがサポートするＭＣＳの異なるセットを示し得るので、本開示はそのように限定されない。
【００６６】
[0078]図９は、本開示の態様による、例示的なサブフィールド符号化マップ９００を示す。図８に示されている例示的なＲｘ  Ｓ１Ｇ−ＭＣＳマップサブフィールドおよびＴｘ  Ｓ１Ｇ−ＭＣＳマップサブフィールドは、図９に示されている符号化を使用することによって符号化され得る。図９に示されているように、例示的なＲｘ  Ｓ１Ｇ−ＭＣＳマップサブフィールドおよびＴｘ  Ｓ１Ｇ−ＭＣＳマップサブフィールドは、１つのＳＳのための最大Ｓ１Ｇ−ＭＣＳ（Max S1G-MCS For 1 SS）、２つのＳＳのための最大Ｓ１Ｇ−ＭＣＳ（Max S1G-MCS For 2 SS）、３つのＳＳのための最大Ｓ１Ｇ−ＭＣＳ（Max S1G-MCS For 3 SS）、および４つのＳＳのための最大Ｓ１Ｇ−ＭＣＳ（Max S1G-MCS For 4 SS）と名付けられた４つのサブフィールド９０２、９０４、９０６、９０８を備える。ｎ個のＳＳのための各最大Ｓ１Ｇ−ＭＣＳ（Max S1G-MCS for n SS）サブフィールド（ただし、ｎ＝１、．．．、４）は、０〜３の値を有し得る。０の値は、ｎ個の空間ストリームのためのＳ１Ｇ−ＭＣＳ２のサポートを示す。１の値は、ｎ個の空間ストリームのためのＳ１Ｇ−ＭＣＳ７のサポートを示す。２の値は、ｎ個の空間ストリームのためのＳ１Ｇ−ＭＣＳ９のサポートを示す。３の値は、ｎ個の空間ストリームがサポートされないことを示す。
【００６７】
[0079]特定の数の空間ストリームのためのＳ１Ｇ−ＭＣＳマップフィールド中でサポートされるものとして示されるＳ１Ｇ−ＭＣＳは、すべての帯域幅において有効であるとは限らず、Ｔｘ最高被サポートロングＧＩデータレートおよびＲｘ最高被サポートロングＧＩデータレートの宣言によって限定され得、Ｓ１Ｇ  ＰＰＤＵについての追加のレート選択制約によって影響を及ぼされ得る。１ＭＨｚのために、ＭＣＳ１０が常にサポートされ得る。
【００６８】
[0080]たとえば、ＳＴＡは、それが、Ｒｘ  Ｓ１Ｇ−ＭＣＳマップサブフィールドの１つのＳＳのための最大Ｓ１Ｇ−ＭＣＳ中で２の値を送信することによって、２ＭＨｚ以上のチャネル帯域幅のためにＭＣＳ９を使用して１つの空間ストリーム送信を受信することをサポートすることを示し得る。
【００６９】
[0081]図９に示されているサブフィールド符号化マップはまた、図８に示されている１ＭＨｚのためのＲｘ単一空間ストリームおよびＳ１Ｇ−ＭＣＳマップサブフィールドと、１ＭＨｚのためのＴｘ単一空間ストリームおよびＳ１Ｇ−ＭＣＳマップサブフィールドとによって使用され得る。たとえば、ＳＴＡは、１ＭＨｚのためのＲｘ単一空間ストリームおよびＳ１Ｇ−ＭＣＳマップサブフィールド中で３の値を送信することによって、ＳＴＡが１ＭＨｚ以下のチャネル帯域幅のためにＭＣＳ９を使用して１つの空間ストリーム送信を受信することをサポートすることを示し得る（たとえば、このサブフィールドの値を３に設定することは、サブフィールド９０２の値を２に設定することがより高い帯域幅に対して有するのと同じＭＣＳセットを、１ＭＨｚのために指定するという効果を有する）。図８に示されているように、ＭＣＳ２またはＭＣＳ７を示す同様の効果が、Ｒｘ単一空間ストリームおよびＳ１Ｇ−ＭＣＳマップ値を１に設定すること（サブフィールド９０２に対する０の値に対応するＭＣＳセットを指定すること）によって、または２に設定すること（サブフィールド９０２に対する１の値に対応するＭＣＳセットを指定すること）によって達成され得る。
【００７０】
[0082]図９に示されている例示的なサブフィールド符号化は、セットを、ＭＣＳ１０と、示されているインデックス番号をもつＭＣＳと、示されているインデックス番号よりも小さいインデックス番号をもつすべてのＭＣＳとを含むものとして定義し、たとえば、セットは、ＭＣＳ１０と、ＭＣＳ２と、ＭＣＳ１と、ＭＣＳ０とを含み得る。しかしながら、本開示はそのように限定されず、ＭＣＳセットは他の定義を使用して定義され得る。
【００７１】
[0083]図７〜図９に示されている例示的なサブフィールドおよびサブフィールド符号化は、「１ＭＨｚのためのＲｘ単一空間ストリームおよびＳ１Ｇ−ＭＣＳマップサブフィールド」と「１ＭＨｚのためのＴｘ単一空間ストリームおよびＳ１Ｇ−ＭＣＳマップサブフィールド」とに言及するが、本開示は、単一空間ストリームのみを使用して第２の帯域幅をサポートするワイヤレスノードに限定されない。本開示の態様によれば、ワイヤレスノードは、ワイヤレスノードが送信および／または受信することができる空間ストリームの任意の数を使用して、第１の帯域幅のために第１のＭＣＳセットをサポートする第１の能力と、第２の帯域幅のために第２のＭＣＳセットをサポートする第２の能力とをアドバタイジングし得る。第２のＭＣＳセットおよび第２の帯域幅のためにサポートされる空間ストリームの数は、規格において定義されるか、送信された能力要素（たとえば、Ｓ１Ｇ能力要素）から決定されるか、またはその２つの何らかの組合せであり得る。本開示の態様によれば、第１の能力をアドバタイジングするために使用されるサブフィールドのためのサブフィールド符号化（たとえば、図９中のサブフィールド符号化マップ）は、第２の能力をアドバタイジングするために使用されるサブフィールドのためにも使用され得る。たとえば、サブフィールド７１８および７２０は、（たとえば、ＩＥＥＥ８０２．１１規格において）１ＭＨｚ帯域幅のために２つの空間ストリームを送信および受信するためのＭＣＳセットをサポートする能力をアドバタイジングするものとして定義され得る。本例では、サブフィールド７１８および７２０は、図９に示されている符号化を使用することによって符号化され得、図９に示されている符号化は、異なる帯域幅において異なるＭＣＳセットをサポートする能力をアドバタイジングする他のサブフィールド（たとえば、サブフィールド７１０および７１４）を符号化するためにも使用される。
【００７２】
[0084]図１０は、２つのＳ１Ｇ  ＳＴＡ１２０ｍおよび１２０ｘと、Ｓ１Ｇ  ＡＰ１１０との間の例示的なコールフロー１０００を示す。コールフローは、１００２において、Ｓ１Ｇ能力要素を送信することによって、ＡＰがＳ１Ｇ  ＡＰであるとＡＰが宣言することから始まる。ＡＰは、Ｒｘ  Ｓ１Ｇ−ＭＣＳマップサブフィールドの４つすべてのサブフィールド中で「２」を送信することによって、ＡＰがＳ１Ｇ−ＭＣＳ９を使用して１つ、２つ、３つ、または４つの空間ストリームを受信することができることを示す。同様に、ＡＰは、Ｔｘ  Ｓ１Ｇ−ＭＣＳマップサブフィールドの４つすべてのサブフィールド中で「２」を送信することによって、ＡＰがＳ１Ｇ−ＭＣＳ９を使用して１つ、２つ、３つ、または４つの空間ストリームを送信することができることを示す。ＡＰはまた、１ＭＨｚのためのＲｘ単一空間ストリームおよびＳ１Ｇ−ＭＣＳマップサブフィールド、すなわち、図１０における省略された「１ＭＨｚのためのＲｘ  ＳＳＳおよびＳ１Ｇ−ＭＣＳマップ（Rx SSS and S1G-MCS Map for 1 MHz）」中で「０」を送信することによって、ＡＰが、同じ、空間ストリームの数およびＳ１Ｇ−ＭＣＳ（すなわち、Ｓ１Ｇ−ＭＣＳを使用して１つ、２つ、３つ、または４つの空間ストリーム）を使用して１ＭＨｚ帯域幅チャネルを受信することができることを示す。同様に、ＡＰは、１ＭＨｚのためのＴｘ単一空間ストリームおよびＳ１Ｇ−ＭＣＳマップサブフィールド、すなわち、省略された「１ＭＨｚのためのＴｘ  ＳＳＳおよびＳ１Ｇ−ＭＣＳマップ（Tx SSS and S1G-MCS Map for 1 MHz）」中で「０」を送信することによって、ＡＰが、同じ、空間ストリームの数およびＳ１Ｇ−ＭＣＳ（すなわち、Ｓ１Ｇ−ＭＣＳを使用して１つ、２つ、３つ、または４つの空間ストリーム）を使用して１ＭＨｚ帯域幅チャネルを送信することができることを示す。コールフロー１０００は、ＡＰが、両方のＳＴＡが受信する単一の送信を行うことを示すが、本開示はそのように限定されず、ＡＰは、複数のＳＴＡへの別個の送信においてＳ１Ｇ能力要素を送信し得る。
【００７３】
[0085]１００４において、ＳＴＡ１は、Ｓ１Ｇ能力要素を送信することによって、ＳＴＡ１がＳ１Ｇ  ＳＴＡであると宣言する。ＳＴＡ１は、Ｒｘ  Ｓ１Ｇ−ＭＣＳマップサブフィールドの４つすべてのサブフィールド中で「２」を送信することによって、ＳＴＡ１がＳ１Ｇ−ＭＣＳ９を使用して１つ、２つ、３つ、または４つの空間ストリームを受信することができることを示す。同様に、ＳＴＡ１は、Ｔｘ  Ｓ１Ｇ−ＭＣＳマップサブフィールドの４つすべてのサブフィールド中で「２」を送信することによって、ＳＴＡ１がＳ１Ｇ−ＭＣＳ９を使用して１つ、２つ、３つ、または４つの空間ストリームを送信することができることを示す。ＳＴＡ１はまた、１ＭＨｚのためのＲｘ単一空間ストリームおよびＳ１Ｇ−ＭＣＳマップサブフィールド、すなわち、図１０における省略された「１ＭＨｚのためのＲｘ  ＳＳＳおよびＳ１Ｇ−ＭＣＳマップ」中で「０」を送信することによって、ＳＴＡ１が、同じ、空間ストリームの数およびＳ１Ｇ−ＭＣＳ（すなわち、Ｓ１Ｇ−ＭＣＳを使用して１つ、２つ、３つ、または４つの空間ストリーム）を使用して１ＭＨｚ帯域幅チャネルを受信することができることを示す。同様に、ＳＴＡ１は、１ＭＨｚのためのＴｘ単一空間ストリームおよびＳ１Ｇ−ＭＣＳマップサブフィールド、すなわち、省略された「１ＭＨｚのためのＴｘ  ＳＳＳおよびＳ１Ｇ−ＭＣＳマップ」中で「０」を送信することによって、ＳＴＡ１が、同じ、空間ストリームの数およびＳ１Ｇ−ＭＣＳ（すなわち、Ｓ１Ｇ−ＭＣＳを使用して１つ、２つ、３つ、または４つの空間ストリーム）を使用して１ＭＨｚ帯域幅チャネルを送信することができることを示す。
【００７４】
[0086]１００６において、ＳＴＡ２は、Ｓ１Ｇ能力要素を送信することによって、ＳＴＡ２がＳ１Ｇ  ＳＴＡであると宣言する。ＳＴＡ２は、Ｒｘ  Ｓ１Ｇ−ＭＣＳマップサブフィールドの第１のサブフィールド中で「２」を送信することによって、ＳＴＡ２がＳ１Ｇ−ＭＣＳ９を使用して１つの空間ストリームを受信することができることを示す。ＳＴＡ２は、Ｒｘ  Ｓ１Ｇ−ＭＣＳマップサブフィールドの第２のサブフィールド中で「１」を送信することによって、ＳＴＡ２がＳ１Ｇ−ＭＣＳ７を使用して２つの空間ストリームを受信することができることを示す。ＳＴＡ２は、Ｒｘ  Ｓ１Ｇ−ＭＣＳマップサブフィールドの第３および第４のサブフィールド中で「３」を送信することによって、ＳＴＡ２が３つまたは４つの空間ストリームを受信することができないことを示す。一例として、ＳＴＡ２が２つのアンテナを有するので、ＳＴＡ２は３つまたは４つの空間ストリームを受信することが可能でないことがある。同様に、ＳＴＡ２は、Ｔｘ  Ｓ１Ｇ−ＭＣＳマップサブフィールドの第１のサブフィールド中で「２」を送信することによって、ＳＴＡ２がＳ１Ｇ−ＭＣＳ９を使用して１つの空間ストリームを送信することができることを示す。ＳＴＡ２は、Ｔｘ  Ｓ１Ｇ−ＭＣＳマップサブフィールドの第２のサブフィールド中で「１」を送信することによって、ＳＴＡ２がＳ１Ｇ−ＭＣＳ７を使用して２つの空間ストリームを送信することができることを示す。ＳＴＡ２は、Ｔｘ  Ｓ１Ｇ−ＭＣＳマップサブフィールドの第３および第４のサブフィールド中で「３」を送信することによって、ＳＴＡ２が３つまたは４つの空間ストリームを送信することができないことを示す。ＳＴＡ２は、１ＭＨｚのためのＲｘ単一空間ストリームおよびＳ１Ｇ−ＭＣＳマップサブフィールド中で「２」を送信することによって、ＳＴＡ２がＳ１Ｇ−ＭＣＳ７を使用して１ＭＨｚ帯域幅チャネル上で単一空間ストリームを受信することができることを示す。同様に、ＳＴＡ２は、１ＭＨｚのためのＴｘ単一空間ストリームおよびＳ１Ｇ−ＭＣＳマップサブフィールド中で「２」を送信することによって、ＳＴＡ２がＳ１Ｇ−ＭＣＳ７を使用して１ＭＨｚ帯域幅チャネル上で単一空間ストリームを送信することができることを示す。
【００７５】
[0087]１００８において、ＳＴＡ１はデータをＡＰに送信する。例示的なコールフローでは、ＳＴＡ１とＡＰとの間に良好なチャネル状態があり、したがって、ＳＴＡ１は、広帯域幅高スループット送信モードを使用することを決定する。ＳＴＡ１は、１００２においてＡＰによって送信されたＳ１Ｇ能力要素から、ＡＰがＳ１Ｇ−ＭＣＳ９を使用して送信された４つの空間ストリームを受信することができると決定する。ＳＴＡ１は、Ｓ１Ｇ−ＭＣＳ９を使用して４つの空間ストリームを送信することが可能であり、したがって、ＳＴＡ１は、４つの空間ストリーム（ＳＳ）とＳ１Ｇ−ＭＣＳ９とを使用してデータをＡＰに送信する。
【００７６】
[0088]１０１０において、ＡＰはデータをＳＴＡ１に送信する。ＳＴＡ１とＡＰとの間に良好なチャネル状態が依然としてあり、したがって、ＡＰは、広帯域幅高スループット送信モードを使用することを決定する。ＡＰは、１００４においてＳＴＡ１によって送信されたＳ１Ｇ能力要素から、ＳＴＡ１がＳ１Ｇ−ＭＣＳ９を使用して送信された４つの空間ストリームを受信することができると決定する。ＡＰは、Ｓ１Ｇ−ＭＣＳ９を使用して４つの空間ストリームを送信することが可能であり、したがって、ＡＰは、４つの空間ストリーム（ＳＳ）とＳ１Ｇ−ＭＣＳ９とを使用してデータをＳＴＡ１に送信する。
【００７７】
[0089]１０１２において、ＡＰはデータをＳＴＡ２に送信する。例示的なコールフローでは、ＳＴＡ２とＡＰとの間に不良なチャネル状態があり（たとえば、ＳＴＡ２とＡＰとは、それらの間に長い距離を有する）、したがって、ＡＰは１ＭＨｚ帯域幅送信モードを使用することを決定する。ＡＰは、１００６においてＳＴＡ２によって送信されたＳ１Ｇ能力要素から、ＳＴＡ２が１ＭＨｚ帯域幅チャネル上でＳ１Ｇ−ＭＣＳ７を使用して送信された１つの空間ストリームを受信することができると決定する。ＡＰは、Ｓ１Ｇ−ＭＣＳ９を使用して４つの空間ストリームを送信することが可能であるが、不良なチャネル状態により、１ＭＨｚ帯域幅チャネル上で１つの空間ストリーム（ＳＳ）とＳ１Ｇ−ＭＣＳ７とを使用してデータをＳＴＡ２に送信することを決定する。
【００７８】
[0090]１０１４において、ＳＴＡ２はデータをＡＰに送信する。ＳＴＡ２とＡＰとの間に不良なチャネル状態が依然としてあり、したがって、ＳＴＡ２は、１ＭＨｚ帯域幅送信モードを使用することを決定する。ＳＴＡ２は、１００２においてＡＰによって送信されたＳ１Ｇ能力要素から、ＡＰがＳ１Ｇ−ＭＣＳ９を使用して送信された４つの空間ストリームを受信することができると決定する。ＳＴＡ２は、Ｓ１Ｇ−ＭＣＳ７を使用して１つの空間ストリームを送信することが可能であり、したがって、ＳＴＡ１は、１つの空間ストリーム（ＳＳ）とＳ１Ｇ−ＭＣＳ７とを使用してデータをＡＰに送信する。
【００７９】
[0091]上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。たとえば、図４および図５に示されている動作４００および動作５００は、それぞれ、図４Ａおよび図５Ａに示されている手段４００Ａおよび手段５００Ａに対応する。
【００８０】
[0092]たとえば、送信するための手段は、図２に示されているアクセスポイント１１０の送信機（たとえば、送信機ユニット２２２）および／または（１つまたは複数の）アンテナ２２４、あるいは図３に示されている送信機３１０および／または（１つまたは複数の）アンテナ３１６を備え得る。受信するための手段は、図２に示されているアクセスポイント１１０の受信機（たとえば、受信機ユニット２２２）および／または（１つまたは複数の）アンテナ２２４、あるいは図３に示されている受信機３１２および／または（１つまたは複数の）アンテナ３１６を備え得る。処理するための手段、決定するための手段、検出するための手段、走査するための手段、選択するための手段、または動作を終了するための手段は、図２に示されているアクセスポイント１１０のＲＸデータプロセッサ２４２、ＴＸデータプロセッサ２１０、および／またはコントローラ２３０、あるいは図３に描かれているプロセッサ３０４および／またはＤＳＰ３２０など、１つまたは複数のプロセッサを含み得る、処理システムを備え得る。
【００８１】
[0093]いくつかの態様によれば、そのような手段は、高速関連付けを実行するための上記で説明した（たとえば、ハードウェアでまたはソフトウェア命令を実行することによって）様々なアルゴリズムを実装することによって、対応する機能を実行するように構成された処理システムによって実装され得る。たとえば、ウェイクアップ期間を識別するための手段は、（たとえば、ＩＥを介して）構成に基づいてウェイクアップ期間を識別するアルゴリズムを実行する処理システムによって実装され得、ウェイクアップ期間中に無線機能を有効にすべきかどうかを決定するための手段は、入力として、ウェイクアップ期間と、データの存在が示されたかどうかとを取るアルゴリズムを実行する（同じまたは異なる）処理システムによって実装され得、一方、無線機能を有効にするための手段は、入力として、決定するための手段からの決定を取り、それに応じて無線機能を有効／無効にするための信号を生成するアルゴリズムを実行する実装された（同じまたは異なる）処理システムであり得る。
【００８２】
[0094]本明細書で使用する「決定すること」という用語は、多種多様なアクションを包含する。たとえば、「決定すること」は、計算すること、算出すること、処理すること、導出すること、調査すること、ルックアップすること（たとえば、テーブル、データベースまたは別のデータ構造においてルックアップすること）、突き止めることなどを含み得る。また、「決定すること」は、受信すること（たとえば、情報を受信すること）、アクセスすること（たとえば、メモリ中のデータにアクセスすること）などを含み得る。また、「決定すること」は、解くこと、選択すること、選定すること、確立することなどを含み得る。
【００８３】
[0095]本明細書で使用する受信機という用語は、（たとえば、ＲＦフロントエンドの）ＲＦ受信機、または（たとえば、バスを介して）ＲＦフロントエンドによって処理された構造物を受信するための（たとえば、プロセッサの）インターフェースを指し得る。同様に、送信機という用語は、ＲＦフロントエンドのＲＦ送信機、または（たとえば、バスを介して）送信のために構造物をＲＦフロントエンドに出力するための（たとえば、プロセッサの）インターフェースを指し得る。
【００８４】
[0096]本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００８５】
[0097]本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８６】
[0098]本開示に関連して説明した方法またはアルゴリズムのステップは、ハードウェアで直接実施されるか、プロセッサによって実行されるソフトウェアモジュールで実行されるか、またはその２つの組合せで実行され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサと一体であり得る。
【００８７】
[0099]本明細書で開示した方法は、説明した方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されない限り、特定のステップおよび／またはアクションの順序および／または使用は、特許請求の範囲から逸脱することなく変更され得る。
【００８８】
[00100]説明した機能は、ハードウェア、ソフトウェア、ファームウェア、またはそれらの任意の組合せで実装され得る。ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末１２０（図１参照）の場合、ユーザインターフェース（たとえば、キーパッド、ディスプレイ、マウス、ジョイスティックなど）もバスに接続され得る。バスはまた、タイミングソース、周辺機器、電圧調整器、電力管理回路など、様々な他の回路をリンクし得るが、これらの回路は当技術分野でよく知られており、したがって、これ以上説明しない。
【００８９】
[00101]プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【００９０】
[00102]ハードウェア実装形態では、機械可読媒体は、プロセッサとは別個の処理システムの一部であり得る。しかしながら、当業者なら容易に諒解するように、機械可読媒体またはそれの任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体またはその任意の部分は、キャッシュおよび／または汎用レジスタファイルがそうであり得るように、プロセッサに統合され得る。
【００９１】
[00103]処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとをもつ汎用処理システムとして構成され得る。代替的に、処理システムは、プロセッサをもつＡＳＩＣ（特定用途向け集積回路）と、バスインターフェースと、アクセス端末の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明した様々な機能を実行することができる回路の任意の組合せを用いて、実装され得る。当業者なら、特定の適用例と、全体的なシステムに課される全体的な設計制約とに応じて、どのようにしたら処理システムについて説明した機能を最も良く実装し得るかを理解されよう。
【００９２】
[00104]機械可読媒体はいくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００９３】
[00105]ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲に含まれるべきである。
【００９４】
[00106]したがって、いくつかの態様は、本明細書で提示する動作を実行するためのコンピュータプログラム製品を備え得る。たとえば、そのようなコンピュータプログラム製品は、本明細書で説明した動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００９５】
[00107]さらに、本明細書で説明した方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明した方法を実行するための手段の転送を可能にするためにサーバに結合され得る。代替的に、本明細書で説明した様々な方法は、ユーザ端末および／または基地局が記憶手段をデバイスに結合するかまたは与えると様々な方法を得ることができるように、記憶手段（たとえば、ＲＡＭ、ＲＯＭ、コンパクトディスク（ＣＤ）またはフロッピーディスクなどの物理記憶媒体など）によって提供され得る。その上、本明細書で説明した方法および技法をデバイスに与えるための任意の他の好適な技法が利用され得る。
【００９６】
[00108]特許請求の範囲は、上記で示した厳密な構成および構成要素に限定されないことを理解されたい。特許請求の範囲から逸脱することなく、上記で説明した方法および装置の構成、動作および詳細において、様々な修正、変更および変形が行われ得る。
以下に、本願出願の当初の特許請求の範囲に記載された発明を付記する。
［１］  ワイヤレス通信のための装置であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２の変調およびコーディング方式（ＭＣＳ）セットを示す第２のフィールドとを有するフレームを生成するように構成された処理システムと、ここにおいて、前記第２のフィールドの異なる値は、前記装置が前記第２の帯域幅のためにサポートすることが可能である異なるＭＣＳセットを示し、
送信のために前記フレームを出力するように構成されたインターフェースとを備える、装置。
［２］  前記第１の帯域幅が２ＭＨｚ以上の帯域幅を備え、前記第２の帯域幅が１ＭＨｚ以下の帯域幅を備える、［１］に記載の装置。
［３］  前記第２のフィールドの前記異なる値は、前記装置が前記第２のＭＣＳセットを使用して前記第２の帯域幅においてサポートすることが可能である異なる数の空間ストリームを示す、［１］に記載の装置。
［４］  前記第２のフィールドの前記異なる値のうちの少なくとも１つが、前記第１のフィールドによって示されるのと同じ、空間ストリームの数およびＭＣＳセットを示す、［１］に記載の装置。
［５］  前記第２のフィールドの前記異なる値のうちの少なくとも１つは、前記装置が単一空間ストリームのために前記第２の帯域幅において前記第２のＭＣＳセットをサポートすることが可能であることを示す、［１］に記載の装置。
［６］  前記第２のフィールドの前記異なる値によって示される前記異なるＭＣＳセットは、前記装置が前記第１のフィールドの異なる値を介して示すことができる異なるＭＣＳセットに対応する、［１］に記載の装置。
［７］  前記第１のＭＣＳセットは、前記装置が前記第１の帯域幅を含む複数の帯域幅のためにサポートすることが可能であるＭＣＳセットを備える、［１］に記載の装置。
［８］  前記第１のＭＣＳセットが、異なる数の空間ストリームに関連するＭＣＳを備える、［１］に記載の装置。
［９］  前記第１のフィールドは、前記装置が前記第１の帯域幅のために前記第１のＭＣＳセットを用いた受信をサポートすることが可能であることをさらに示し、前記第２のフィールドは、前記装置が前記第２の帯域幅のために前記第２のＭＣＳセットを用いた受信をサポートすることが可能であることをさらに示し、
前記フレームは、前記装置が前記第１の帯域幅上での送信のためにサポートすることが可能である第３の変調およびコーディング方式（ＭＣＳ）セットを示す第３のフィールドと、前記装置が前記第２の帯域幅上での送信のためにサポートすることが可能である第４の変調およびコーディング方式（ＭＣＳ）セットを示す第４のフィールドとをさらに備える、［１］に記載の装置。
［１０］  ワイヤレス通信のための装置であって、
第１のフィールドと第２のフィールドとを有するフレームをワイヤレスノードから受信するためのインターフェースと、
前記第１のフィールドの値から、前記ワイヤレスノードが第１の帯域幅のためにサポートする第１の変調およびコーディング方式（ＭＣＳ）セットを決定することと、前記第２のフィールドの値から、前記ワイヤレスノードが第２の帯域幅のためにサポートする第２のＭＣＳセットを決定することと、
前記第１の帯域幅と前記第１のＭＣＳセット中のＭＣＳ、または
前記第２の帯域幅と前記第２のＭＣＳセット中のＭＣＳ
のうちの少なくとも１つを使用して、前記ワイヤレスノードと通信するように前記装置を構成することとを行うように構成された処理システムとを備える、装置。
［１１］  前記第１の帯域幅が２ＭＨｚ以上の帯域幅を備え、前記第２の帯域幅が１ＭＨｚ以下の帯域幅を備える、［１０］に記載の装置。
［１２］  前記処理システムは、
前記第２のフィールドの前記値から、前記ワイヤレスノードが前記第２のＭＣＳセットを使用して前記第２の帯域幅のためにサポートすることが可能である空間ストリームの数を決定することと、
前記第２の帯域幅と、前記第２のＭＣＳセット中のＭＣＳと、前記決定された数の空間ストリームとを使用して、前記ワイヤレスノードと通信するように前記装置を構成することとを行うように構成された、［１０］に記載の装置。
［１３］  前記処理システムは、
前記第２のフィールドの前記値から、前記ワイヤレスノードが前記第１のフィールドによって示されるのと同じ、空間ストリームの数およびＭＣＳセットを前記第２の帯域幅のためにサポートすることが可能であると決定することと、
前記第２の帯域幅と、前記第１のＭＣＳセット中のＭＣＳと、前記決定された数の空間ストリームとを使用して、前記ワイヤレスノードと通信するように前記装置を構成することとを行うように構成された、［１０］に記載の装置。
［１４］  前記処理システムは、
前記第２のフィールドの前記値から、前記ワイヤレスノードが単一空間ストリームに対する前記第２の帯域幅のために前記第２のＭＣＳセットをサポートすることが可能であると決定することと、
前記第２の帯域幅と、前記第２のＭＣＳセット中のＭＣＳと、単一空間ストリームとを使用して、前記ワイヤレスノードと通信するように前記装置を構成することとを行うように構成された、［１０］に記載の装置。
［１５］  前記処理システムは、
前記第１のフィールドの前記値から、前記ワイヤレスノードが前記第１の帯域幅を含む複数の帯域幅のために前記第１のＭＣＳセットをサポートすることが可能であると決定することと、
前記複数の帯域幅のうちの１つと、前記第１のＭＣＳセット中のＭＣＳとを使用して、前記ワイヤレスノードと通信するように前記装置を構成することとを行うように構成された、［１０］に記載の装置。
［１６］  前記処理システムは、
前記第１のフィールドの前記値から、前記ワイヤレスノードが異なる数の空間ストリームに関連する、前記第１のＭＣＳセット中のＭＣＳをサポートすることが可能であると決定することと、
前記第１の帯域幅と、前記第１のＭＣＳセット中のＭＣＳと、前記異なる数の空間ストリームの空間ストリームの数とを使用して、前記ワイヤレスノードと通信するように前記装置を構成することとを行うように構成された、［１０］に記載の装置。
［１７］  前記処理システムは、
前記第１のフィールドの前記値から、前記ワイヤレスノードが前記第１の帯域幅を使用する前記第１のＭＣＳセットを用いた受信をサポートすることが可能であると決定することと、
前記第２のフィールドの前記値から、前記ワイヤレスノードが前記第２の帯域幅を使用して前記第２のＭＣＳセットを用いた受信をサポートすることが可能であると決定することと、
第３のフィールドの値から、前記ワイヤレスノードが前記第１の帯域幅を使用する送信のために第３の変調およびコーディング方式（ＭＣＳ）セットをサポートすることが可能であると決定することと、
第４のフィールドの値から、前記ワイヤレスノードが前記第２の帯域幅を使用する送信のために第４の変調およびコーディング方式（ＭＣＳ）セットをサポートすることが可能であると決定することと、ここにおいて、前記第４のフィールドの異なる値は、前記装置が前記第２の帯域幅のためにサポートすることが可能である異なるＭＣＳセットを示し、を行うように構成された、［１０］に記載の装置。
［１８］  装置によるワイヤレス通信のための方法であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２の変調およびコーディング方式（ＭＣＳ）セットを示す第２のフィールドとを有するフレームを生成することと、ここにおいて、前記第２のフィールドの異なる値は、前記装置が前記第２の帯域幅のためにサポートすることが可能である異なるＭＣＳセットを示し、
送信のために前記フレームを出力することとを備える、方法。
［１９］  前記第１の帯域幅が２ＭＨｚ以上の帯域幅を備え、前記第２の帯域幅が１ＭＨｚ以下の帯域幅を備える、［１８］に記載の方法。
［２０］  前記第２のフィールドの前記異なる値は、前記装置が前記第２のＭＣＳセットを使用して前記第２の帯域幅においてサポートすることが可能である異なる数の空間ストリームを示す、［１８］に記載の方法。
［２１］  前記第２のフィールドの前記異なる値のうちの少なくとも１つが、前記第１のフィールドによって示されるのと同じ、空間ストリームの数およびＭＣＳセットを示す、［１８］に記載の方法。
［２２］  前記第２のフィールドの前記異なる値のうちの少なくとも１つは、前記装置が単一空間ストリームのために前記第２の帯域幅においてサポートすることが可能である異なるＭＣＳセットを示す、［１８］に記載の方法。
［２３］  前記第２のフィールドの前記異なる値によって示される前記異なるＭＣＳセットは、前記装置が前記第１のフィールドの異なる値を介して示すことができる異なるＭＣＳセットに対応する、［１８］に記載の方法。
［２４］  前記第１のＭＣＳセットは、前記装置が前記第１の帯域幅を含む複数の帯域幅のためにサポートすることが可能であるＭＣＳセットを備える、［１８］に記載の方法。
［２５］  前記第１のＭＣＳセットが、異なる数の空間ストリームに関連するＭＣＳを備える、［１８］に記載の方法。
［２６］  前記第１のフィールドは、前記装置が前記第１の帯域幅のために前記第１のＭＣＳセットを用いた受信をサポートすることが可能であることをさらに示し、前記第２のフィールドは、前記装置が前記第２の帯域幅のために前記第２のＭＣＳセットを用いた受信をサポートすることが可能であることをさらに示し、
前記フレームは、前記装置が前記第１の帯域幅上での送信のためにサポートすることが可能である第３の変調およびコーディング方式（ＭＣＳ）セットを示す第３のフィールドと、前記装置が前記第２の帯域幅上での送信のためにサポートすることが可能である第４の変調およびコーディング方式（ＭＣＳ）セットを示す第４のフィールドとをさらに備える、［１８］に記載の方法。
［２７］  装置によるワイヤレス通信のための方法であって、
第１のフィールドと第２のフィールドとを有するフレームをワイヤレスノードから受信することと、
前記第１のフィールドの値から、前記ワイヤレスノードが第１の帯域幅のためにサポートする第１の変調およびコーディング方式（ＭＣＳ）セットを決定することと、
前記第２のフィールドの値から、前記ワイヤレスノードが第２の帯域幅のためにサポートする第２のＭＣＳセットを決定することと、
前記第１の帯域幅と前記第１のＭＣＳセット中のＭＣＳ、および
前記第２の帯域幅と前記第２のＭＣＳセット中のＭＣＳ
のうちの少なくとも１つを使用して、前記ワイヤレスノードと通信することとを備える、方法。
［２８］  前記第１の帯域幅が２ＭＨｚ以上の帯域幅を備え、前記第２の帯域幅が１ＭＨｚ以下の帯域幅を備える、［２７］に記載の方法。
［２９］  前記第２のフィールドの前記値から、前記ワイヤレスノードが前記第２のＭＣＳセットを使用して前記第２の帯域幅のためにサポートすることが可能である空間ストリームの数を決定することと、
前記第２の帯域幅と、前記第２のＭＣＳセット中のＭＣＳと、前記決定された数の空間ストリームとを使用して、前記ワイヤレスノードと通信することとをさらに備える、［２７］に記載の方法。
［３０］  前記第２のフィールドの前記値から、前記ワイヤレスノードが前記第１のフィールドによって示されるのと同じ、空間ストリームの数およびＭＣＳセットを前記第２の帯域幅のためにサポートすることが可能であると決定することと、
前記第２の帯域幅と、前記第１のＭＣＳセット中のＭＣＳと、前記決定された数の空間ストリームとを使用して、前記ワイヤレスノードと通信することとをさらに備える、［２７］に記載の方法。
［３１］  前記第２のフィールドの前記値から、前記ワイヤレスノードが単一空間ストリームに対する前記第２の帯域幅のために前記第２のＭＣＳセットをサポートすることが可能であると決定することと、
前記第２の帯域幅と、前記第２のＭＣＳセット中のＭＣＳと、単一空間ストリームとを使用して、前記ワイヤレスノードと通信することとをさらに備える、［２７］に記載の方法。
［３２］  前記第１のフィールドの前記値から、前記ワイヤレスノードが前記第１の帯域幅を含む複数の帯域幅のために前記第１のＭＣＳセットをサポートすることが可能であると決定することと、
前記複数の帯域幅のうちの１つと、前記第１のＭＣＳセット中のＭＣＳとを使用して、前記ワイヤレスノードと通信することとをさらに備える、［２７］に記載の方法。
［３３］  前記第１のフィールドの前記値から、前記ワイヤレスノードが異なる数の空間ストリームに関連する、前記第１のＭＣＳセット中のＭＣＳをサポートすることが可能であると決定することと、
前記第１の帯域幅と、前記第１のＭＣＳセット中のＭＣＳと、前記異なる数の空間ストリームの空間ストリームの数とを使用して、前記ワイヤレスノードと通信することとをさらに備える、［２７］に記載の方法。
［３４］  前記第１のフィールドの前記値から、前記ワイヤレスノードが前記第１の帯域幅のためにサポートする前記第１のＭＣＳセットを決定することは、前記ワイヤレスノードが前記第１の帯域幅を使用して前記第１のＭＣＳセットを用いた受信をサポートすることが可能であると決定することを備え、
前記第２のフィールドの前記値から、前記ワイヤレスノードが前記第２の帯域幅のためにサポートする前記第２のＭＣＳセットを決定することは、前記ワイヤレスノードが前記第２の帯域幅を使用して前記第２のＭＣＳセットを用いた受信をサポートすることが可能であると決定することを備え、
前記方法は、
第３のフィールドの値から、前記ワイヤレスノードが前記第１の帯域幅を使用する送信のために第３のＭＣＳセットをサポートすることが可能であると決定することと、
第４のフィールドの値から、前記ワイヤレスノードが前記第２の帯域幅を使用する送信のために第４のＭＣＳセットをサポートすることが可能であると決定することと、ここにおいて、前記第４のフィールドの異なる値は、前記ワイヤレスノードが前記第２の帯域幅のためにサポートすることが可能である異なるＭＣＳセットを示す、をさらに備える、
［２７］に記載の方法。
［３５］  ワイヤレス通信のための装置であって、
前記装置が第１の帯域幅のためにサポートすることが可能である第１の変調およびコーディング方式（ＭＣＳ）セットを示す第１のフィールドと、前記装置が第２の帯域幅のためにサポートすることが可能である第２の変調およびコーディング方式（ＭＣＳ）セットを示す第２のフィールドとを有するフレームを生成するための手段と、ここにおいて、前記第２のフィールドの異なる値は、前記装置が前記第２の帯域幅のためにサポートすることが可能である異なるＭＣＳセットを示し、
送信のために前記フレームを出力するための手段とを備える、装置。
［３６］  前記第１の帯域幅が２ＭＨｚ以上の帯域幅を備え、前記第２の帯域幅が１ＭＨｚ以下の帯域幅を備える、［３５］に記載の装置。
［３７］  前記第２のフィールドの前記異なる値は、前記装置が前記第２のＭＣＳセットを使用して前記第２の帯域幅においてサポートすることが可能である異なる数の空間ストリームを示す、［３５］に記載の装置。
［３８］  前記第２のフィールドの前記異なる値のうちの少なくとも１つが、前記第１のフィールドによって示されるのと同じ、空間ストリームの数およびＭＣＳセットを示す、［３５］に記載の装置。
［３９］  前記第２のフィールドの前記異なる値のうちの少なくとも１つは、前記装置が単一空間ストリームのために前記第２の帯域幅においてサポートすることが可能である異なるＭＣＳセットを示す、［３５］に記載の装置。
［４０］  前記第２のフィールドの前記異なる値によって示される前記異なるＭＣＳセットは、前記装置が前記第１のフィールドの異なる値を介して示すことができる異なるＭＣＳセットに対応する、［３５］に記載の装置。
［４１］  前記第１のＭＣＳセットは、前記装置が前記第１の帯域幅を含む複数の帯域幅のためにサポートすることが可能であるＭＣＳセットを備える、［３５］に記載の装置。
［４２］  前記第１のＭＣＳセットが、異なる数の空間ストリームに関連するＭＣＳを備える、［３５］に記載の装置。
［４３］  前記第１のフィールドは、前記装置が前記第１の帯域幅のために前記第１のＭＣＳセットを用いた受信をサポートすることが可能であることをさらに示し、
前記第２のフィールドは、前記装置が前記第２の帯域幅のための前記第２のＭＣＳセットを用いた受信をサポートすることが可能であることを示し、
前記フレームは、前記装置が前記第１の帯域幅上での送信のためにサポートすることが可能である第３のＭＣＳセットを示す第３のフィールドと、前記装置が前記第２の帯域幅上での送信のためにサポートすることが可能である第４のＭＣＳセットを示す第４のフィールドとをさらに備える、［３５］に記載の装置。
［４４］  ワイヤレス通信のための装置であって、
第１のフィールドと第２のフィールドとを有するフレームをワイヤレスノードから受信するための手段と、
前記第１のフィールドの値から、前記ワイヤレスノードが第１の帯域幅のためにサポートする第１の変調およびコーディング方式（ＭＣＳ）セットを決定するための手段と、
前記第２のフィールドの値から、前記ワイヤレスノードが第２の帯域幅のためにサポートする第２のＭＣＳセットを決定するための手段と、
前記第１の帯域幅と前記第１のＭＣＳセット中のＭＣＳ、および
前記第２の帯域幅と前記第２のＭＣＳセット中のＭＣＳ
のうちの少なくとも１つを使用して、前記ワイヤレスノードと通信するための手段とを備える、装置。
［４５］  前記第１の帯域幅が２ＭＨｚ以上の帯域幅を備え、前記第２の帯域幅が１ＭＨｚ以下の帯域幅を備える、［４４］に記載の装置。
［４６］  前記第２のフィールドの前記値から、前記ワイヤレスノードが前記第２のＭＣＳセットを使用して前記第２の帯域幅のためにサポートすることが可能である空間ストリームの数を決定するための手段と、
前記第２の帯域幅と、前記第２のＭＣＳセット中のＭＣＳと、前記決定された数の空間ストリームとを使用して、前記ワイヤレスノードと通信するための手段とをさらに備える、［４４］に記載の装置。
［４７］  前記第２のフィールドの前記値から、前記ワイヤレスノードが前記第１のフィールドによって示されるのと同じ、空間ストリームの数およびＭＣＳセットを前記第２の帯域幅のためにサポートすることが可能であると決定するための手段と、
前記第２の帯域幅と、前記第１のＭＣＳセット中のＭＣＳと、前記決定された数の空間ストリームとを使用して、前記ワイヤレスノードと通信するための手段とをさらに備える、［４４］に記載の装置。
［４８］  前記第２のフィールドの前記値から、前記ワイヤレスノードが単一空間ストリームに対する前記第２の帯域幅のために前記第２のＭＣＳセットをサポートすることが可能であると決定するための手段と、
前記第２の帯域幅と、前記第２のＭＣＳセット中のＭＣＳと、単一空間ストリームとを使用して、前記ワイヤレスノードと通信するための手段とをさらに備える、［４４］に記載の装置。
［４９］  前記第１のフィールドの前記値から、前記ワイヤレスノードが前記第１の帯域幅を含む複数の帯域幅のために前記第１のＭＣＳセットをサポートすることが可能であると決定するための手段と、
前記複数の帯域幅のうちの１つと、前記第１のＭＣＳセット中のＭＣＳとを使用して、前記ワイヤレスノードと通信することとをさらに備える、［４４］に記載の装置。
［５０］  前記第１のフィールドの前記値から、前記ワイヤレスノードが異なる数の空間ストリームに関連する、前記第１のＭＣＳセット中のＭＣＳをサポートすることが可能であると決定するための手段と、
前記第１の帯域幅と、前記第１のＭＣＳセット中のＭＣＳと、前記異なる数の空間ストリームの空間ストリームの数とを使用して、前記ワイヤレスノードと通信するための手段とをさらに備える、［４４］に記載の装置。
［５１］  前記第１のフィールドの前記値から、前記ワイヤレスノードが前記第１の帯域幅のためにサポートする前記第１のＭＣＳセットを決定するための前記手段は、前記ワイヤレスノードが前記第１の帯域幅を使用して前記第１のＭＣＳセットを用いた受信をサポートすることが可能であると決定するための手段を備え、
前記第２のフィールドの前記値から、前記ワイヤレスノードが前記第２の帯域幅のためにサポートする前記第２のＭＣＳセットを決定するための前記手段は、前記ワイヤレスノードが前記第２の帯域幅を使用して前記第２のＭＣＳセットを用いた受信をサポートすることが可能であると決定するための手段を備え、
前記装置は、
第３のフィールドの値から、前記ワイヤレスノードが前記第１の帯域幅を使用する送信のために第３のＭＣＳセットをサポートすることが可能であると決定するための手段と、
第４のフィールドの値から、前記ワイヤレスノードが前記第２の帯域幅を使用する送信のために第４のＭＣＳセットをサポートすることが可能であると決定するための手段と、ここにおいて、前記第４のフィールドの異なる値は、前記ワイヤレスノードが前記第２の帯域幅のためにサポートすることが可能である異なるＭＣＳセットを示す、
をさらに備える、［４４］に記載の装置。
［５２］  装置が第１の帯域幅のためにサポートすることが可能である第１の変調およびコーディング方式（ＭＣＳ）セットを示す第１のフィールドと、前記装置が第２の帯域幅のためにサポートすることが可能である第２の変調およびコーディング方式（ＭＣＳ）セットを示す第２のフィールドとを有するフレームを生成することと、ここにおいて、前記第２のフィールドの異なる値は、前記装置が前記第２の帯域幅のためにサポートすることが可能である異なるＭＣＳセットを示し、
送信のために前記フレームを出力することとを行うための命令を記憶したワイヤレス通信のためのコンピュータ可読媒体。
［５３］  第１のフィールドと第２のフィールドとを有するフレームをワイヤレスノードから受信することと、
前記第１のフィールドの値から、前記ワイヤレスノードが第１の帯域幅のためにサポートする第１の変調およびコーディング方式（ＭＣＳ）セットを決定することと、
前記第２のフィールドの値から、前記ワイヤレスノードが第２の帯域幅のためにサポートする第２のＭＣＳセットを決定することと、
前記第１の帯域幅と前記第１のＭＣＳセット中のＭＣＳ、および
前記第２の帯域幅と前記第２のＭＣＳセット中のＭＣＳ
のうちの少なくとも１つを使用して、前記ワイヤレスノードと通信することとを行うための命令を記憶したワイヤレス通信のためのコンピュータ可読媒体。
［５４］  局（ＳＴＡ）であって、
少なくとも１つのアンテナと、
前記ＳＴＡが第１の帯域幅のためにサポートすることが可能である第１の変調およびコーディング方式（ＭＣＳ）セットを示す第１のフィールドと、前記ＳＴＡが第２の帯域幅のためにサポートすることが可能である第２の変調およびコーディング方式（ＭＣＳ）セットを示す第２のフィールドとを有するフレームを生成するように構成された処理システムと、ここにおいて、前記第２のフィールドの異なる値は、前記ＳＴＡが前記第２の帯域幅のためにサポートすることが可能である異なるＭＣＳセットを示し、
前記少なくとも１つのアンテナを介して、ワイヤレスノードに前記フレームを送信するように構成された送信機とを備える、局（ＳＴＡ）。
［５５］  アクセスポイント（ＡＰ）であって、
少なくとも１つのアンテナと、
前記少なくとも１つのアンテナを介して、ワイヤレスノードから第１のフィールドと第２のフィールドとを有するフレームを受信するように構成された受信機と、
送信機と、
処理システムとを備え、前記処理システムは、
前記第１のフィールドの値から、前記ワイヤレスノードが第１の帯域幅のためにサポートする第１の変調およびコーディング方式（ＭＣＳ）セットを決定することと、
前記第２のフィールドの値から、前記ワイヤレスノードが第２の帯域幅のためにサポートする第２のＭＣＳセットを決定することと、
前記第１の帯域幅と前記第１のＭＣＳセット中のＭＣＳ、および
前記第２の帯域幅と前記第２のＭＣＳセット中のＭＣＳ
のうちの少なくとも１つを使用して、前記ワイヤレスノードと通信するように前記送信機および前記受信機を構成することとを行うように構成された、アクセスポイント（ＡＰ）。
【図１】
0006386167.tif 000002
【図２】
0006386167.tif 000003
【図３】
0006386167.tif 000004
【図４】
0006386167.tif 000005
【図４Ａ】
0006386167.tif 000006
【図５】
0006386167.tif 000007
【図５Ａ】
0006386167.tif 000008
【図６】
0006386167.tif 000009
【図７】
0006386167.tif 000010
【図８】
0006386167.tif 000011
【図９】
0006386167.tif 000012
【図１０】
0006386167.tif 000013